(57)【特許請求の範囲】
【請求項１】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域であって、かつ、前記候補領域に隣接する領域のうちから、前記候補領域から除外される領域の代替領域を設定し、当該代替領域を前記候補領域に加える手段と、を含む、
ことを特徴とする広告システム。
【請求項２】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域であって、かつ、前記候補領域に隣接する領域のうちから、前記候補領域から除外される領域の代替領域を設定し、当該代替領域を前記候補領域に加える手段と、を含む、
ことを特徴とする広告システム。
【請求項３】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、直近の所定期間内に前記ユーザ端末が通過した領域を、前記候補領域から除外される領域の代替領域として設定し、当該代替領域を前記候補領域に加える手段と、を含む、
ことを特徴とする広告システム。
【請求項４】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、直近の所定期間内に前記ユーザ端末が通過した領域を、前記候補領域から除外される領域の代替領域として設定し、当該代替領域を前記候補領域に加える手段と、を含む、
ことを特徴とする広告システム。
【請求項５】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、前記候補領域からの距離が基準距離未満であって、かつ、特定の道路を含む領域を、前記候補領域から除外される領域の代替領域として設定し、当該代替領域を前記候補領域に加える手段と、を含む、
ことを特徴とする広告システム。
【請求項６】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、前記候補領域からの距離が基準距離未満であって、かつ、特定の道路を含む領域を、前記候補領域から除外される領域の代替領域として設定し、当該代替領域を前記候補領域に加える手段と、を含む、
ことを特徴とする広告システム。
【請求項７】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、前記候補領域からの距離が基準距離未満であって、かつ、特定の施設を含む領域を、前記候補領域から除外される領域の代替領域として設定し、当該代替領域を前記候補領域に加える手段と、を含む、
ことを特徴とする広告システム。
【請求項８】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、前記候補領域からの距離が基準距離未満であって、かつ、特定の施設を含む領域を、前記候補領域から除外される領域の代替領域として設定し、当該代替領域を前記候補領域に加える手段と、を含む、
ことを特徴とする広告システム。
【請求項９】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域であって、かつ、前記候補領域からの距離が基準距離未満である領域のうちから、人の通行量に基づいて、前記候補領域から除外される領域の代替領域を設定し、当該代替領域を前記候補領域に加える追加手段と、を含み、
前記追加手段は、
前記通行量の最も多い領域を前記代替領域として設定する手段、又は、
前記通行量が基準量以上である領域を前記代替領域として設定する手段、を含む、
ことを特徴とする広告システム。
【請求項１０】
ユーザ端末によって取得された当該ユーザ端末の位置を示す位置情報を取得する位置情報取得手段と、
電子広告を関連付ける現実空間内の領域の候補である候補領域を、前記位置情報に基づいて設定する候補領域設定手段と、
前記候補領域内の部分領域を、前記電子広告を関連付ける対象の領域として設定する対象領域設定手段と、
前記電子広告と、前記対象領域設定手段によって設定された領域と、の関連付けを示す関連付け情報を関連付け情報記憶手段に登録する関連付け情報登録手段と、
を含み、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域であって、かつ、前記候補領域からの距離が基準距離未満である領域のうちから、人の通行量に基づいて、前記候補領域から除外される領域の代替領域を設定し、当該代替領域を前記候補領域に加える追加手段と、を含み、
前記追加手段は、
前記通行量の最も多い領域を前記代替領域として設定する手段、又は、
前記通行量が基準量以上である領域を前記代替領域として設定する手段、を含む、
ことを特徴とする広告システム。
【請求項１１】
請求項１乃至１０のいずれかに記載の広告システムにおいて、
前記候補領域設定手段は、前記電子広告の広告主の店舗の所在地からの距離が基準距離以内である領域内において、前記候補領域を、前記位置情報に基づいて設定する、
ことを特徴とする広告システム。
【請求項１２】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、複数の部分領域を含んでなる領域が前記候補領域として設定され、
前記複数の部分領域は、前記位置情報が示す前記ユーザ端末の位置を含む第１部分領域と、前記第１部分領域の周辺に位置する複数の第２部分領域と、を含み、
前記対象領域設定ステップは、
前記複数の部分領域を前記ユーザ端末のユーザに提示するステップと、
前記複数の部分領域のうちの少なくとも一つの指定を前記ユーザから受け付けるステップと、
前記ユーザによって指定された少なくとも一つの部分領域を、前記電子広告を関連付ける対象の領域として設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域であって、かつ、前記候補領域に隣接する領域のうちから、前記候補領域から除外される領域の代替領域を設定し、当該代替領域を前記候補領域に加えるステップと、を含む、
ことを特徴とする広告システムの制御方法。
【請求項１３】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域であって、かつ、前記候補領域に隣接する領域のうちから、前記候補領域から除外される領域の代替領域を設定し、当該代替領域を前記候補領域に加える手段と、を含む、
ことを特徴とするプログラム。
【請求項１４】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、前記位置情報が示す前記ユーザ端末の位置の周辺の領域が前記候補領域として設定され、
前記対象領域設定ステップは、
前記候補領域を前記ユーザ端末のユーザに提示するステップと、
前記候補領域内の位置又は一部領域の指定を前記ユーザから受け付けるステップと、
前記ユーザによって指定された位置又は一部領域に基づいて、前記電子広告を関連付ける対象の領域を設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域であって、かつ、前記候補領域に隣接する領域のうちから、前記候補領域から除外される領域の代替領域を設定し、当該代替領域を前記候補領域に加えるステップと、を含む、
ことを特徴とする広告システムの制御方法。
【請求項１５】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域であって、かつ、前記候補領域に隣接する領域のうちから、前記候補領域から除外される領域の代替領域を設定し、当該代替領域を前記候補領域に加える手段と、を含む、
ことを特徴とするプログラム。
【請求項１６】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、複数の部分領域を含んでなる領域が前記候補領域として設定され、
前記複数の部分領域は、前記位置情報が示す前記ユーザ端末の位置を含む第１部分領域と、前記第１部分領域の周辺に位置する複数の第２部分領域と、を含み、
前記対象領域設定ステップは、
前記複数の部分領域を前記ユーザ端末のユーザに提示するステップと、
前記複数の部分領域のうちの少なくとも一つの指定を前記ユーザから受け付けるステップと、
前記ユーザによって指定された少なくとも一つの部分領域を、前記電子広告を関連付ける対象の領域として設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域のうちの、直近の所定期間内に前記ユーザ端末が通過した領域を、前記候補領域から除外される領域の代替領域として設定し、当該代替領域を前記候補領域に加えるステップと、を含む、
ことを特徴とする広告システムの制御方法。
【請求項１７】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、直近の所定期間内に前記ユーザ端末が通過した領域を、前記候補領域から除外される領域の代替領域として設定し、当該代替領域を前記候補領域に加える手段と、を含む、
ことを特徴とするプログラム。
【請求項１８】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、前記位置情報が示す前記ユーザ端末の位置の周辺の領域が前記候補領域として設定され、
前記対象領域設定ステップは、
前記候補領域を前記ユーザ端末のユーザに提示するステップと、
前記候補領域内の位置又は一部領域の指定を前記ユーザから受け付けるステップと、
前記ユーザによって指定された位置又は一部領域に基づいて、前記電子広告を関連付ける対象の領域を設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域のうちの、直近の所定期間内に前記ユーザ端末が通過した領域を、前記候補領域から除外される領域の代替領域として設定し、当該代替領域を前記候補領域に加えるステップと、を含む、
ことを特徴とする広告システムの制御方法。
【請求項１９】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、直近の所定期間内に前記ユーザ端末が通過した領域を、前記候補領域から除外される領域の代替領域として設定し、当該代替領域を前記候補領域に加える手段と、を含む、
ことを特徴とするプログラム。
【請求項２０】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、複数の部分領域を含んでなる領域が前記候補領域として設定され、
前記複数の部分領域は、前記位置情報が示す前記ユーザ端末の位置を含む第１部分領域と、前記第１部分領域の周辺に位置する複数の第２部分領域と、を含み、
前記対象領域設定ステップは、
前記複数の部分領域を前記ユーザ端末のユーザに提示するステップと、
前記複数の部分領域のうちの少なくとも一つの指定を前記ユーザから受け付けるステップと、
前記ユーザによって指定された少なくとも一つの部分領域を、前記電子広告を関連付ける対象の領域として設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域のうちの、前記候補領域からの距離が基準距離未満であって、かつ、特定の道路を含む領域を、前記候補領域から除外される領域の代替領域として設定し、当該代替領域を前記候補領域に加えるステップと、を含む、
ことを特徴とする広告システムの制御方法。
【請求項２１】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、前記候補領域からの距離が基準距離未満であって、かつ、特定の道路を含む領域を、前記候補領域から除外される領域の代替領域として設定し、当該代替領域を前記候補領域に加える手段と、を含む、
ことを特徴とするプログラム。
【請求項２２】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、前記位置情報が示す前記ユーザ端末の位置の周辺の領域が前記候補領域として設定され、
前記対象領域設定ステップは、
前記候補領域を前記ユーザ端末のユーザに提示するステップと、
前記候補領域内の位置又は一部領域の指定を前記ユーザから受け付けるステップと、
前記ユーザによって指定された位置又は一部領域に基づいて、前記電子広告を関連付ける対象の領域を設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域のうちの、前記候補領域からの距離が基準距離未満であって、かつ、特定の道路を含む領域を、前記候補領域から除外される領域の代替領域として設定し、当該代替領域を前記候補領域に加えるステップと、を含む、
ことを特徴とする広告システムの制御方法。
【請求項２３】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、前記候補領域からの距離が基準距離未満であって、かつ、特定の道路を含む領域を、前記候補領域から除外される領域の代替領域として設定し、当該代替領域を前記候補領域に加える手段と、を含む、
ことを特徴とするプログラム。
【請求項２４】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、複数の部分領域を含んでなる領域が前記候補領域として設定され、
前記複数の部分領域は、前記位置情報が示す前記ユーザ端末の位置を含む第１部分領域と、前記第１部分領域の周辺に位置する複数の第２部分領域と、を含み、
前記対象領域設定ステップは、
前記複数の部分領域を前記ユーザ端末のユーザに提示するステップと、
前記複数の部分領域のうちの少なくとも一つの指定を前記ユーザから受け付けるステップと、
前記ユーザによって指定された少なくとも一つの部分領域を、前記電子広告を関連付ける対象の領域として設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域のうちの、前記候補領域からの距離が基準距離未満であって、かつ、特定の施設を含む領域を、前記候補領域から除外される領域の代替領域として設定し、当該代替領域を前記候補領域に加えるステップと、を含む、
ことを特徴とする広告システムの制御方法。
【請求項２５】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、前記候補領域からの距離が基準距離未満であって、かつ、特定の施設を含む領域を、前記候補領域から除外される領域の代替領域として設定し、当該代替領域を前記候補領域に加える手段と、を含む、
ことを特徴とするプログラム。
【請求項２６】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、前記位置情報が示す前記ユーザ端末の位置の周辺の領域が前記候補領域として設定され、
前記対象領域設定ステップは、
前記候補領域を前記ユーザ端末のユーザに提示するステップと、
前記候補領域内の位置又は一部領域の指定を前記ユーザから受け付けるステップと、
前記ユーザによって指定された位置又は一部領域に基づいて、前記電子広告を関連付ける対象の領域を設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域のうちの、前記候補領域からの距離が基準距離未満であって、かつ、特定の施設を含む領域を、前記候補領域から除外される領域の代替領域として設定し、当該代替領域を前記候補領域に加えるステップと、を含む、
ことを特徴とする広告システムの制御方法。
【請求項２７】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域のうちの、前記候補領域からの距離が基準距離未満であって、かつ、特定の施設を含む領域を、前記候補領域から除外される領域の代替領域として設定し、当該代替領域を前記候補領域に加える手段と、を含む、
ことを特徴とするプログラム。
【請求項２８】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、複数の部分領域を含んでなる領域が前記候補領域として設定され、
前記複数の部分領域は、前記位置情報が示す前記ユーザ端末の位置を含む第１部分領域と、前記第１部分領域の周辺に位置する複数の第２部分領域と、を含み、
前記対象領域設定ステップは、
前記複数の部分領域を前記ユーザ端末のユーザに提示するステップと、
前記複数の部分領域のうちの少なくとも一つの指定を前記ユーザから受け付けるステップと、
前記ユーザによって指定された少なくとも一つの部分領域を、前記電子広告を関連付ける対象の領域として設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域であって、かつ、前記候補領域からの距離が基準距離未満である領域のうちから、人の通行量に基づいて、前記候補領域から除外される領域の代替領域を設定し、当該代替領域を前記候補領域に加える追加ステップと、を含み、
前記追加ステップは、
前記通行量の最も多い領域を前記代替領域として設定するステップ、又は、
前記通行量が基準量以上である領域を前記代替領域として設定するステップ、を含む、
ことを特徴とする広告システムの制御方法。
【請求項２９】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、複数の部分領域を含んでなる領域を前記候補領域として設定し、
前記複数の部分領域は、前記位置情報が示す前記ユーザ端末の位置を含む第１部分領域と、前記第１部分領域の周辺に位置する複数の第２部分領域と、を含み、
前記対象領域設定手段は、
前記複数の部分領域を前記ユーザ端末のユーザに提示する手段と、
前記複数の部分領域のうちの少なくとも一つの指定を前記ユーザから受け付ける手段と、
前記ユーザによって指定された少なくとも一つの部分領域を、前記電子広告を関連付ける対象の領域として設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域であって、かつ、前記候補領域からの距離が基準距離未満である領域のうちから、人の通行量に基づいて、前記候補領域から除外される領域の代替領域を設定し、当該代替領域を前記候補領域に加える追加手段と、を含み、
前記追加手段は、
前記通行量の最も多い領域を前記代替領域として設定する手段、又は、
前記通行量が基準量以上である領域を前記代替領域として設定する手段、を含む、
ことを特徴とするプログラム。
【請求項３０】
広告システムの制御方法において、
前記広告システムに含まれる制御部が、ユーザ端末によって取得された当該ユーザ端末の位置を示す位置情報を取得する位置情報取得ステップと、
前記制御部が、電子広告を関連付ける現実空間内の領域の候補である候補領域を、前記位置情報に基づいて設定する候補領域設定ステップと、
前記制御部が、前記候補領域内の部分領域を、前記電子広告を関連付ける対象の領域として設定する対象領域設定ステップと、
を含み、
前記候補領域設定ステップでは、前記位置情報に基づいて、前記位置情報が示す前記ユーザ端末の位置の周辺の領域が前記候補領域として設定され、
前記対象領域設定ステップは、
前記候補領域を前記ユーザ端末のユーザに提示するステップと、
前記候補領域内の位置又は一部領域の指定を前記ユーザから受け付けるステップと、
前記ユーザによって指定された位置又は一部領域に基づいて、前記電子広告を関連付ける対象の領域を設定するステップと、を含み、
前記候補領域設定ステップは、
前記電子広告と所定の関係を有する電子広告が既に関連付けられている領域が前記候補領域に含まれるか否かを判定するステップと、
前記電子広告と所定の関係を有する電子広告が既に関連付けられている領域が前記候補領域に含まれると判定された場合、当該領域を前記候補領域から除外するステップと、
前記候補領域外の領域であって、かつ、前記候補領域からの距離が基準距離未満である領域のうちから、人の通行量に基づいて、前記候補領域から除外される領域の代替領域を設定し、当該代替領域を前記候補領域に加える追加ステップと、を含み、
前記追加ステップは、
前記通行量の最も多い領域を前記代替領域として設定するステップ、又は、
前記通行量が基準量以上である領域を前記代替領域として設定するステップ、を含む、
ことを特徴とする広告システムの制御方法。
【請求項３１】
ユーザ端末によって取得された当該ユーザ端末の位置を示す位置情報を取得する位置情報取得手段、
電子広告を関連付ける現実空間内の領域の候補である候補領域を、前記位置情報に基づいて設定する候補領域設定手段、
前記候補領域内の部分領域を、前記電子広告を関連付ける対象の領域として設定する対象領域設定手段、及び、
前記電子広告と、前記対象領域設定手段によって設定された領域と、の関連付けを示す関連付け情報を関連付け情報記憶手段に登録する関連付け情報登録手段、
としてコンピュータを機能させ、
前記候補領域設定手段は、前記位置情報に基づいて、前記位置情報が示す前記ユーザ端末の位置の周辺の領域を前記候補領域として設定し、
前記対象領域設定手段は、
前記候補領域を前記ユーザ端末のユーザに提示する手段と、
前記候補領域内の位置又は一部領域の指定を前記ユーザから受け付ける手段と、
前記ユーザによって指定された位置又は一部領域に基づいて、前記電子広告を関連付ける対象の領域を設定する手段と、を含み、
前記候補領域設定手段は、
前記電子広告と所定の関係を有する電子広告が既に関連付けられている領域が前記候補領域に含まれるか否かを判定する手段と、
前記電子広告と所定の関係を有する電子広告が既に関連付けられている領域が前記候補領域に含まれると判定された場合、当該領域を前記候補領域から除外する手段と、
前記候補領域外の領域であって、かつ、前記候補領域からの距離が基準距離未満である領域のうちから、人の通行量に基づいて、前記候補領域から除外される領域の代替領域を設定し、当該代替領域を前記候補領域に加える追加手段と、を含み、
前記追加手段は、
前記通行量の最も多い領域を前記代替領域として設定する手段、又は、
前記通行量が基準量以上である領域を前記代替領域として設定する手段、を含む、
ことを特徴とするプログラム。
【発明の詳細な説明】
【技術分野】
【０００１】  本発明は広告システム、広告システムの制御方法、広告処理装置、広告処理装置の制御方法、及びプログラムに関する。
【背景技術】
【０００２】  電子広告を提供するシステムが知られている。例えば、特許文献１は電子クーポンを提供するシステムに関するものであり、携帯端末の現在位置から所定距離以内に所在地がある店舗の電子クーポンを携帯端末に送信する技術を開示している。
【先行技術文献】
【特許文献】
【０００３】
【特許文献１】特開２０１１−１９７８８１号公報
【発明の概要】
【発明が解決しようとする課題】
【０００４】  現実世界では、店舗の所在地から所定距離以上離れた場所でも広告（例えばクーポン又はチラシ）の配布が行われている。例えば、人の通行量が多い場所のように広告の配布に適した場所があれば、その場所が店舗の所在地から所定距離以上離れていたとしても、その場所で広告の配布が行われる場合がある。電子広告（例えば電子クーポン又は電子チラシ）に関しても、店舗の所在地から所定距離以上離れた場所で電子広告の提供を行いたい場合がある。【０００５】  そこで、本願の発明者は、登録者によって指定された現実世界の領域に電子広告を関連付けておき、電子広告が関連付けられた領域とユーザの位置とに基づいて、電子広告をユーザに提供するシステムを発案した。【０００６】  このようなシステムを実現する場合、登録者が表示部に表示される地図上で領域を指定し、登録者によって指定された領域と電子広告とを関連付けるような構成を採用することが考えられる。【０００７】  しかしながら、地図上のいずれの領域も無制限に指定できるようになっていると、無差別かつ大量に電子広告が登録されてしまうおそれがある。また、実際の場所を見て確認せずにその場所に電子広告を関連付けることができるようになっていると、通行人がその広告を見る可能性が低い場所等、電子広告を提供する場所に適さない場所に電子広告を関連付けてしまうおそれがある。【０００８】  このような不都合の発生を抑制するために、登録者が実際にその場所まで行かなければ、その場所に電子広告を関連付けることができないようにすることも考えられる。【０００９】  しかしながら、この場合、実際にその場所まで行かなければならなくなるため、登録者にとって不便である。例えば、大きな交差点の向かい側の場所に電子広告を関連付けたいような場合であっても、登録者は実際に交差点を渡って向かい側まで行かなければならなくなる。【００１０】  本発明は上記課題に鑑みてなされたものであって、その目的は、無差別かつ大量に電子広告が登録されてしまうことを抑制し、登録者の利便性を担保することも可能な広告システム、広告システムの制御方法、広告処理装置、広告処理装置の制御方法、及びプログラムを提供することにある。
【課題を解決するための手段】
【００１１】  上記課題を解決するために、本発明に係る広告システムは、第１ユーザの位置に関する第１位置情報を取得する第１位置情報取得手段と、電子広告を現実空間内の領域に関連付ける旨の要求を前記第１ユーザから受け付けた場合、前記電子広告を関連付ける対象の領域の候補である候補領域を、前記第１位置情報に基づいて設定する候補領域設定手段と、前記候補領域内の部分領域を、前記電子広告を関連付ける対象の領域として設定する対象領域設定手段と、前記電子広告と、前記対象領域設定手段によって設定された領域と、の関連付けを示す関連付け情報を関連付け情報記憶手段に登録する関連付け情報登録手段と、第２ユーザの位置に関する第２位置情報を取得する第２位置情報取得手段と、電子広告の提供の要求を前記第２ユーザから受け付けた場合、前記関連付け情報記憶手段に登録された領域と前記第２位置情報とに基づいて、前記関連付け情報記憶手段に登録された電子広告の中から前記第２ユーザに提供する電子広告を抽出し、当該電子広告を前記第２ユーザに提供する電子広告提供手段と、を含む。【００１２】  また、本発明に係る広告システムの制御方法は、第１ユーザの位置に関する第１位置情報を取得する第１位置情報取得ステップと、電子広告を現実空間内の領域に関連付ける旨の要求を前記第１ユーザから受け付けた場合、前記電子広告を関連付ける対象の領域の候補である候補領域を、前記第１位置情報に基づいて設定する候補領域設定ステップと、前記候補領域内の部分領域を、前記電子広告を関連付ける対象の領域として設定する対象領域設定ステップと、前記電子広告と、前記対象領域設定ステップによって設定された領域と、の関連付けを示す関連付け情報を関連付け情報記憶手段に登録する関連付け情報登録ステップと、第２ユーザの位置に関する第２位置情報を取得する第２位置情報取得ステップと、電子広告の提供の要求を前記第２ユーザから受け付けた場合、前記関連付け情報記憶手段に登録された領域と前記第２位置情報とに基づいて、前記関連付け情報記憶手段に登録された電子広告の中から前記第２ユーザに提供する電子広告を抽出し、当該電子広告を前記第２ユーザに提供する電子広告提供ステップと、を含む。【００１３】  また、本発明に係る広告処理装置は、ユーザの位置に関する位置情報を取得する位置情報取得手段と、電子広告を現実空間内の領域に関連付ける旨の要求を前記ユーザから受け付けた場合、前記電子広告を関連付ける対象の領域の候補である候補領域を、前記位置情報に基づいて設定する候補領域設定手段と、前記候補領域内の部分領域を、前記電子広告を関連付ける対象の領域として設定する対象領域設定手段と、前記電子広告と、前記対象領域設定手段によって設定された領域と、の関連付けを示す関連付け情報を関連付け情報記憶手段に登録する関連付け情報登録手段と、を含む。【００１４】  また、本発明に係る広告処理装置の制御方法は、ユーザの位置に関する位置情報を取得する位置情報取得ステップと、電子広告を現実空間内の領域に関連付ける旨の要求を前記ユーザから受け付けた場合、前記電子広告を関連付ける対象の領域の候補である候補領域を、前記位置情報に基づいて設定する候補領域設定ステップと���前記候補領域内の部分領域を、前記電子広告を関連付ける対象の領域として設定する対象領域設定ステップと、前記電子広告と、前記対象領域設定ステップによって設定された領域と、の関連付けを示す関連付け情報を関連付け情報記憶手段に登録する関連付け情報登録ステップと、を含む。【００１５】  また、本発明に係るプログラムは、ユーザの位置に関する位置情報を取得する位置情報取得手段、電子広告を現実空間内の領域に関連付ける旨の要求を前記ユーザから受け付けた場合、前記電子広告を関連付ける対象の領域の候補である候補領域を、前記位置情報に基づいて設定する候補領域設定手段、前記候補領域内の部分領域を、前記電子広告を関連付ける対象の領域として設定する対象領域設定手段、及び、前記電子広告と、前記対象領域設定手段によって設定された領域と、の関連付けを示す関連付け情報を関連付け情報記憶手段に登録する関連付け情報登録手段、としてコンピュータを機能させるためのプログラムである。【００１６】  また、本発明に係る情報記憶媒体は上記プログラムを記録したコンピュータ読み取り可能な情報記憶媒体である。【００１７】  また、本発明の一態様では、前記候補領域設定手段は、前記第１位置情報に基づいて、複数の部分領域を含んでなる領域を前記候補領域として設定し、前記対象領域設定手段は、前記複数の部分領域の少なくとも一つを、前記電子広告を関連付ける対象の領域として設定するようにしてもよい。【００１８】  また、本発明の一態様では、前記対象領域設定手段は、前記複数の部分領域を前記第１ユーザに提示する手段と、前記複数の部分領域のうちの少なくとも一つの指定を前記第１ユーザから受け付ける手段と、前記第１ユーザによって指定された少なくとも一つの部分領域を、前記電子広告を関連付ける対象の領域として設定する手段と、を含むようにしてもよい。【００１９】  また、本発明の一態様では、前記複数の部分領域は、前記第１位置情報が示す位置を含む前記第１部分領域と、前記第１部分領域の周辺に位置する複数の第２部分領域と、を含むようにしてもよい。【００２０】  また、本発明の一態様では、前記対象領域設定手段は、前記候補領域を前記第１ユーザに提示する手段と、前記候補領域内の位置又は一部領域の指定を前記第１ユーザから受け付ける手段と、前記第１ユーザによって指定された位置又は一部領域に基づいて、前記電子広告を関連付ける対象の領域を設定する手段と、を含むようにしてもよい。【００２１】  また、本発明の一態様では、前記候補領域設定手段は、前記第１位置情報に基づいて前記候補領域を設定する手段と、前記電子広告と所定の関係を有する電子広告が既に関連付けられている領域が前記候補領域に含まれる場合、当該領域を前記候補領域から除外する手段と、前記候補領域外の領域を、前記候補領域から除外される領域の代替領域として設定し、当該代替領域を前記候補領域に加える手段と、を含むようにしてもよい。【００２２】  また、本発明の一態様では、前記候補領域設定手段は、前記候補領域外の領域のうちの、前記第１ユーザが通過した領域を前記代替領域として設定する手段を含むようにしてもよい。【００２３】  また、本発明の一態様では、前記候補領域設定手���は、前記候補領域外の領域のうちの、特定の道路を含む領域を前記代替領域として設定する手段を含むようにしてもよい。【００２４】  また、本発明の一態様では、前記候補領域設定手段は、前記候補領域外の領域のうちの、特定の施設を含む領域を前記代替領域として設定する手段を含むようにしてもよい。【００２５】  また、本発明の一態様では、前記候補領域設定手段は、人の通行量に基づいて、前記候補領域外の領域を前記代替領域として設定する手段を含むようにしてもよい。【００２６】  また、本発明の一態様では、前記候補領域設定手段は、前記電子広告の広告主の店舗の所在地からの距離が基準距離以内である領域内において、前記候補領域を、前記第１位置情報に基づいて設定するようにしてもよい。
【発明の効果】
【００２７】  本発明によれば、無差別かつ大量に電子広告が登録されてしまうことを抑制し、登録者の利便性を担保することも可能になる。
【図面の簡単な説明】
【００２８】
【図１】本発明の実施形態に係る広告システムの全体構成の一例を示す図である。
【図２】広告システムの機能の概要について説明するための図である。
【図３】広告システムの機能の概要について説明するための図である。
【図４】メニュー画面の一例を示す図である。
【図５】クーポン一覧画面の一例を示す図である。
【図６】クーポン画面の一例を示す図である。
【図７】区画指定画面の一例を示す図である。
【図８】候補領域について説明するための図である。
【図９】区画指定画面の他の一例を示す図である。
【図１０】クーポン一覧画面の一例を示す図である。
【図１１】クーポン画面の一例を示す図である。
【図１２】広告システムの機能ブロック図である。
【図１３】ユーザテーブルの一例を示す図である。
【図１４】ユーザ位置テーブルの一例を示す図である。
【図１５】広告主テーブルの一例を示す図である。
【図１６】電子クーポンテーブルの一例を示す図である。
【図１７】所有状況テーブルの一例を示す図である。
【図１８】区画テーブルの一例を示す図である。
【図１９】登録状況テーブルの一例を示す図である。
【図２０】広告システムで実行される処理の一例を示す図である。
【図２１】広告システムで実行される処理の一例を示す図である。
【図２２】広告システムで実行される処理の他の一例を示す図である。
【図２３】広告システムで実行される処理の他の一例を示す図である。
【図２４】区画指定画面の他の一例を示す図である。
【図２５】ユーザ位置テーブルの他の一例を示す図である。
【図２６】区画指定画面の他の一例を示す図である。
【図２７】区画指定画面の他の一例を示す図である。
【発明を実施するための形態】
【００２９】  以下、本発明の実施形態について図面に基づき詳細に説明する。
【００３０】  ［第１実施形態］本発明の第１実施形態について説明する。図１は、本発明の第１実施形態に係る広告システムの全体構成の一例を示す。図１に示すように、本実施形態に係る広告システム１は、広告サーバ１０（広告処理装置）と、データベース１５と、ユーザ端末２０と、店舗端末３０とを含む。
【００３１】  広告サーバ１０とユーザ端末２０と店舗端末３０とは通信ネットワーク２に接続される。広告サーバ１０とユーザ端末２０との間で相互にデータ通信が可能である。また、広告サーバ１０と店舗端末３０との間でも相互にデータ通信が可能である。
【００３２】  広告サーバ１０は電子広告を提供するためのサーバである。広告サーバ１０は制御部１１、記憶部１２、通信部１３、及び光ディスクドライブ部１４を含む。制御部１１は例えば１又は複数のマイクロプロセッサを含み、記憶部１２に記憶されたオペレーティングシステム又はプログラムに従って処理を実行する。記憶部１２は主記憶部及び補助記憶部を含む。例えば、主記憶部はＲＡＭであり、補助記憶部はハードディスク又はソリッドステートドライブ等である。
【００３３】  通信部１３は通信ネットワーク２を介してデータ通信を行うためのものであり、光ディスクドライブ部１４は、光ディスク（情報記憶媒体）に記録されたプログラムやデータを読み出す。プログラム及びデータは通信ネットワーク２を介して記憶部１２に供給される。または、プログラムやデータは光ディスクを介して記憶部１２に供給される。すなわち、光ディスクに記憶されたプログラムやデータが光ディスクドライブ部１４によって読み出され、記憶部１２に記憶される。
【００３４】  なお、広告サーバ１０は、光ディスク以外の情報記憶媒体（例えばメモリカード）に記憶されたプログラム又はデータを読み出すための構成要素を含むようにしてもよい。そして、光ディスク以外の情報記憶媒体を介してプログラムやデータが記憶部１２に供給されるようにしてもよい。
【００３５】  広告サーバ１０はデータベース１５にアクセスすることができる。データベース１５は広告サーバ１０に構築されていてもよいし、広告サーバ１０とは別のサーバに構築されていてもよい。電子広告を提供するために必要な情報がデータベース１５に記憶される。
【００３６】  ユーザ端末２０はユーザによって使用される情報処理装置である。ユーザ端末２０はユーザが持ち歩くことが可能な携帯型の情報処理装置であり、例えば携帯電話（スマートフォンを含む）、携帯情報端末（タブレット型コンピュータを含む）、又はラップトップ型パーソナルコンピュータ等である。なお以下では、ユーザ端末２０が携帯電話（スマートフォン）である場合を想定して説明する。
【００３７】  ユーザ端末２０は制御部２１、記憶部２２、通信部２３、ＧＰＳ受信部２４、操作部２５、表示部２６、及び音声出力部２７を含む。制御部２１及び記憶部２２は広告サーバ１０の制御部１１及び記憶部１２と同様である。
【００３８】  通信部２３は通信ネットワーク２を介してデータ通信を行うためのものである。例えば、通信部２３は携帯電話通信網を利用したデータ通信機能を有し、各所に設置された携帯電話基地局を介してデータ通信を行うことが可能である。また例えば、通信部２３は無線ＬＡＮ規格に則ったデータ通信機能を有し、各所に設置された無線ＬＡＮ基地局（アクセスポイント）を介してデータ通信を行うことが可能である。
【００３９】  ＧＰＳ受信部２４は複数のＧＰＳ衛星から送信される信号を受信する。ユーザ端末２０のオペレーティングシステムは、ＧＰＳ受信部２４によって受信された信号に基づいて、ユーザ端末２０の位置情報（緯度及び経度）を取得する。
【００４０】  なお、ユーザ端末２０のオペレーティングシステムは、ユーザ端末２０と通信している携帯電話基地局の位置情報に基づいてユーザ端末２０の位置情報を取得するようにしてもよい。または、ユーザ端末２０のオペレーティングシステムは、ユーザ端末２０と通信している無線ＬＡＮ基地局の位置情報に基づいてユーザ端末２０の位置情報を取得するようにしてもよい。
【００４１】  ユーザ端末２０のオペレーティングシステムはユーザ端末２０の位置情報を所定時間ごとに取得する。また、ユーザ端末２０で実行されるアプリケーションプログラムはその位置情報を利用することが可能である。
【００４２】  操作部２５はユーザが操作を行うためのものである。例えば、ユーザ端末２０が携帯電話又は携帯情報端末である場合、携帯電話又は携帯情報端末に備えられたボタン（キー）、スティック、又はタッチパネル等が操作部２５に相当する。また、ユーザ端末２０がパーソナルコンピュータである場合、パーソナルコンピュータに備えられたキー、スティック、タッチパッド、又はマウス等が操作部２５に相当する。
【００４３】  以下では、表示部２６上に重ねるようにして設けられたタッチパネルをユーザ端末２０が備えており、ユーザがタッチパネルを用いて操作を行う場合を想定して説明する。すなわち、ユーザがタッチパネル上に指又はタッチペンを接触させることによって、表示部２６に表示されたオブジェクトを選択（指定）する場合を想定して説明する。
【００４４】  表示部２６は例えば液晶表示パネル又は有機ＥＬ表示パネル等であり、制御部２１の指示に従って各種画面を表示する。音声出力部２７は例えばスピーカ、イヤホン、又はヘッドホン等であり、制御部２１の指示に従って各種音声を出力する。
【００４５】  なお、プログラム及びデータは通信ネットワーク２を介して記憶部２２に供給される。情報記憶媒体に記憶されたプログラム又はデータを読み出すための構成要素（例えば、メモリカードスロット部又は光ディスクドライブ部等）をユーザ端末２０が備えるようにしてもよい。そして、情報記憶媒体を介してプログラムやデータが記憶部２２に供給されるようにしてもよい。
【００４６】  店舗端末３０は広告主の店舗で使用される情報処理装置であり、例えばパーソナルコンピュータ等である。ユーザ端末２０と同様、店舗端末３０も制御部、記憶部、通信部、操作部、及び表示部等を含む。また店舗端末３０は、ユーザ端末２０の表示部２６に表示されたコード画像を読み取る機能を有し、例えば電子クーポンの利用を受け付けるために用いられる。
【００４７】  本実施形態の場合、広告サーバ１０では、ユーザ端末２０又は店舗端末３０からの処理要求を受け付けるためのデーモン（例えばＨＴＴＰデーモン）が起動される。一方、ユーザ端末２０又は店舗端末３０では、広告サーバ１０にアクセスするためのアプリケーションプログラムが起動され、このアプリケーションプログラムによって処理要求（例えばＨＴＴＰリクエスト）が広告サーバ１０に送信される。
【００４８】  そして、上記の処理要求に対する処理結果に関するデータ（例えばＨＴＴＰレスポンス）が広告サーバ１０からユーザ端末２０又は店舗端末３０に送信される。例えば、ウェブページ記述言語で記述されたページデータがユーザ端末２０又は店舗端末３０に送信される。そして、このページデータに基づいて、処理結果に基づく画面（ウェブページ）がユーザ端末２０又は店舗端末３０で表示される。
【００４９】  上記の構成を有する広告システム１では電子広告をユーザに提供する。例えば電子クーポン又は電子チラシをユーザに提供する。すなわちクーポン又はチラシを電子的にユーザに提供する。さらに言い換えればクーポンデータやチラシデータをユーザに提供する。
【００５０】  以下では、電子クーポンをユーザに提供する場合を例として説明する。なお、「クーポン」とは、店舗（現実の店舗）で特典を受けるための券である。例えば、「クーポン」は、店舗で商品を購入したり、サービスを利用したりする際の代金の割引を受けるための割引券や、店舗で品物と引き替えたり、店舗で所定のサービスを受けたりすることが可能な引換券である。
【００５１】  例えば、ユーザ端末２０の位置情報に基づいて、ユーザが店舗の近辺領域内に入ったか否かが判定され、ユーザが店舗の近辺領域内に入った場合に当該店舗で利用可能な電子クーポンがユーザに付与される。また例えば、電子クーポンは、ユーザが店舗で商品を購入した場合や、ユーザが店舗でサービスを利用した場合にユーザに付与されてもよい。なお、店舗からユーザに電子クーポンを直接付与する方法としては任意の方法を採用することができる。
【００５２】  特に、本実施形態に係る広告システム１では、ユーザが取得した電子クーポンを他のユーザに配布することが可能になっている。図２及び図３はこの機能の概要について説明するための図である。
【００５３】  本実施形態に係る広告システム１では、ユーザは自らの所有する電子クーポンを現実空間内の領域に仮想的に配置することができる。図２に示すように、電子クーポンＣを所有しているユーザＵ１は領域Ａ又は領域Ａの付近に移動し、ユーザ端末２０でアプリケーションプログラムを起動して所定の操作を行うことによって、その電子クーポンＣを領域Ａに関連付けることができる。
【００５４】  また、ユーザは他のユーザによって電子クーポンが仮想的に配置された領域まで移動することによって、その電子クーポンを取得することができる。図３に示すように、ユーザＵ２はユーザＵ１によって電子クーポンＣが関連付けられた領域Ａに移動し、ユーザ端末２０でアプリケーションプログラムを起動して所定の操作を行うことによって、その電子クーポンＣを取得することができる。
【００５５】  以下、ユーザが行うべき操作について説明する。図４〜図９は当該操作について説明するための図であり、図４〜図７及び図９はユーザ端末２０の表示部２６に表示される画面の一例を示す。これらの画面は、ユーザ端末２０と広告サーバ１０との間でデータ通信が行われることによって表示される。またここでは、ユーザから表示部２６が横長に見えるようにしてユーザがユーザ端末２０を持っている場合を想定して説明する。
【００５６】  広告サーバ１０によって提供されるサービスを利用する場合、ユーザは広告サーバ１０にアクセスするためのアプリケーションプログラムをユーザ端末２０において起動する。アプリケーションプログラムが起動された場合、ユーザ認証が実行された後、メニュー画面が表示される。
【００５７】  図４はメニュー画面の一例を示す。図４に示すメニュー画面４０には、三つのメニューボタン４２Ａ，４２Ｂ，４２Ｃと、ゲームポイント欄４４と、ショッピングポイント欄４６とが表示されている。なお、ゲームポイント欄４４はユーザの現在のゲームポイントの量を示す。また、ショッピングポイント欄４６は、ユーザが現在所有しているショッピングポイントの残高を示す。ショッピングポイントは現実又は仮想の店舗で利用することが可能である。すなわち、ユーザは商品を購入したり、サービスを受けたりする際に代金の全部又は一部にショッピングポイントを充当することができる。ゲームポイント及びショッピングポイントの詳細については後述する。
【００５８】  まず、電子クーポンを現実空間内の領域に仮想的に配置するための一連の操作について説明する。すなわち、電子クーポンを現実空間内の領域に関連付けるための一連の操作について説明する。なお以下では、「電子クーポンを現実空間内の領域に仮想的に配置する」ことや、「電子クーポンを現実空間内の領域に関連付ける」ことを、「電子クーポンを現実空間内の領域に登録する」と表現する。
【００５９】  メニューボタン４２Ａは、電子クーポンを現実空間内の領域に登録するためのボタンである。メニューボタン４２Ａが選択された場合、クーポン一覧画面が表示される。
【００６０】  図５はクーポン一覧画面の一例を示す。このクーポン一覧画面５０は、ユーザが現在所有している電子クーポンの一覧を示す画面である。図５に示すクーポン一覧画面５０には、複数のクーポンボタン５２と戻るボタン５４とが表示されている。戻るボタン５４はメニュー画面４０に戻るためのボタンである。
【００６１】  個々のクーポンボタン５２は、ユーザが所有している個々の電子クーポンに対応する。図５は、ユーザが四つの電子クーポンＣ１，Ｃ２，Ｃ３，Ｃ４を所有していることを示している。
【００６２】  クーポン一覧画面５０において、ユーザは現実空間内の領域に登録したい電子クーポン（以下、「登録対象の電子クーポン」と記載する。）を選択する。すなわち、ユーザはいずれかのクーポンボタン５２を選択することによって、登録対象の電子クーポンを選択する。登録対象の電子クーポンが選択された場合、クーポン画面が表示される。
【００６３】  図６はクーポン画面の一例を示す。クーポン画面６０は登録対象の電子クーポンの詳細を示す画面である。図６に示すクーポン画面６０にはクーポン６２が表示されている。すなわち、電子クーポンを利用可能な店舗や、電子クーポンによって受けることが可能な特典の内容が表示されている。また、クーポン画面６０にはコード画像６４が表示されている。コード画像６４は電子クーポンに関する識別情報をコード化してなる画像である。
【００６４】  クーポン画面６０には登録ボタン６６及び戻るボタン６８が表示されている。戻るボタン６８はクーポン一覧画面５０に戻るためのボタンである。クーポン画面６０に表示されている電子クーポンを登録対象の電子クーポンとして決定する場合、ユーザは登録ボタン６６を選択する。登録ボタン６６が選択された場合、区画指定画面が表示される。
【００６５】  図７は区画指定画面の一例を示す。区画指定画面７０は、電子クーポンを登録する対象の領域（以下、「登録対象の領域」と記載する。）を指定するための画面である。図７に示す区画指定画面７０には戻るボタン７８が表示されている。戻るボタン７８はクーポン画面６０に戻るためのボタンである。
【００６６】  また、図７に示す区画指定画面７０には、ユーザの位置（最新位置）７４の周辺の地図７２に表示されている。例えば、ユーザの位置７４が地図７２の中心に表示されるようにして地図７２が表示される。なお、図７では省略されているが、実際には地名、道路名、及び施設名等の情報が地図７２上に表示される。
【００６７】  さらに、区画指定画面７０では、登録対象の領域の候補である候補領域７６が地図７２上に表示されている。ユーザは候補領域７６の一部領域を登録対象の領域として指定する。
【００６８】  図８は候補領域７６について説明するための図である。図８に示すように、広告システム１では、あらかじめ現実空間（地図）が複数の矩形状の区画８０に区切られている。そして、ユーザの位置７４を含む区画８０と、当該区画８０を囲む八個の区画８０（すなわち、当該区画８０の上、下、左、右、左上、右上、左下、右下側に隣接する八個の区画８０）との集合が候補領域７６として設定される。
【００６９】  区画指定画面７０において、ユーザは候補領域７６に含まれる九個の区画８０のうちのいずれかを登録対象の領域として指定する。ユーザがいずれかの区画８０を登録対象の領域として指定すると、当該区画８０と、登録対象の電子クーポンとが関連付けられ、その電子クーポンが当該区画８０に登録される。
【００７０】  なお、一つの区画８０に複数の異なる電子クーポンを登録することは可能であるが、一つの区画８０に複数の同一の電子クーポンを登録することはできない。このため、区画指定画面７０では、登録対象の電子クーポンと同一の電子クーポンが既に登録されている区画８０が区別して表示され、このような区画８０を登録対象の領域として指定することはできない。
【００７１】  図９はこの場合の区画指定画面７０の一例を示す。図９に示す例では、右下がり及び左下がりの二本の斜線が中央の区画８０及び右上の区画８０に付されており、これらの区画８０を登録対象の領域として指定できないことを示している。なお、区画指定画面７０では上記のような区画８０を表示しないようにしてもよい。
【００７２】  なお、電子クーポンの登録には有効期限が設定される。例えば、ユーザが電子クーポンを区画８０に登録してから所定時間（例えば３時間）が経過すると、他のユーザが同一の電子クーポンを登録できるようになる。上記所定時間が経過した後も、他のユーザが電子クーポンの登録を行うまでの間は、元のユーザが行った電子クーポンの登録が有効であり続ける。他のユーザが電子クーポンの登録を行うと、元のユーザが行った電子クーポンの登録は無効になる。
【００７３】  次に、現実空間内の領域に登録された電子クーポンを取得するための一連の操作について説明する。図４に示すメニューボタン４２Ｂは、現実空間内の領域に登録された電子クーポンを取得するためのボタンである。メニューボタン４２Ｂが選択された場合、クーポン一覧画面が表示される。
【００７４】  図１０はこの場合のクーポン一覧画面の一例を示す。このクーポン一覧画面９０は、ユーザが現在位置している区画８０に登録されている電子クーポンの一覧を示す画面である。図１０に示すクーポン一覧画面９０には複数のクーポンボタン９２と戻るボタン９４とが表示されている。戻るボタン９４はメニュー画面４０に戻るためのボタンである。
【００７５】  個々のクーポンボタン９２は、ユーザが現在位置している区画８０に登録されている個々の電子クーポンに対応する。図１０は、ユーザが現在位置している区画８０に二つの電子クーポンＣ１，Ｃ５が登録されている場合を示している。
【００７６】  クーポン一覧画面９０において、ユーザは取得したい電子クーポン（以下、「取得対象の電子クーポン」と記載する。）を選択する。すなわち、ユーザはいずれかのクーポンボタン９２を選択することによって、取得対象の電子クーポンを選択する。取得対象の電子クーポンが選択された場合、クーポン画面が表示される。
【００７７】  図１１はクーポン画面の一例を示す。クーポン画面１００は取得対象の電子クーポンの詳細を示す画面である。図１１に示すクーポン画面１００にはクーポン１０２が表示されている。また、コード画像１０４が表示されている。クーポン１０２及びコード画像１０４は図６に示すクーポン６２及びコード画像６４と同様である。
【００７８】  クーポン画面１００には取得ボタン１０６及び戻るボタン１０８が表示されている。戻るボタン１０８はクーポン一覧画面９０に戻るためのボタンである。ユーザが取得ボタン１０６を選択した場合、取得対象の電子クーポンがユーザに付与される。
【００７９】  なお、例えば、ユーザＵ１が登録した電子クーポンがユーザＵ２によって取得された場合、ユーザＵ１のゲームポイントが増加される。このように、ユーザが登録した電子クーポンが他のユーザによって取得されるごとに、ユーザのゲームポイントが増加される。また、広告システム１ではユーザのゲームポイントのランキングが発表される。
【００８０】  次に、ユーザが店舗で電子クーポンを利用するための一連の操作について説明する。図４に示すメニューボタン４２Ｃは電子クーポンを利用するためのボタンである。メニューボタン４２Ｃが選択された場合、クーポン一覧画面５０（図５）が表示される。
【００８１】  クーポン一覧画面５０において、ユーザはクーポンボタン５２を選択することによって、店舗で利用する電子クーポンを選択する。いずれかの電子クーポンが選択された場合、その電子クーポンの詳細を示すクーポン画面が表示される。このクーポン画面は図６に示すクーポン画面６０と同様である。ただし、この場合、登録ボタン６６は表示されない。
【００８２】  クーポン画面においてユーザがコード画像６４をタップすると、コード画像６４が拡大表示される。ユーザは拡大表示されたコード画像６４を店員に提示することによって、電子クーポンを利用することができる。コード画像６４が店舗端末３０によって読み取られると、電子クーポンが利用されたことが広告サーバ１０に通知される。
【００８３】  なお、例えば、ユーザＵ１によって登録された電子クーポンをユーザＵ２が取得して店舗で利用した場合、ユーザＵ１のショッピングポイントが増加される。このように、ユーザのショッピングポイントは、ユーザが登録した電子クーポンが他のユーザによって利用されるごとに増加される。
【００８４】  上記に説明した広告システム１では、電子クーポンを登録できる場所がユーザの位置に基づいて制限されるため、ユーザは電子クーポンを登録する場所又はその付近まで実際に行く必要がある。その結果として、無差別かつ大量に電子広告が登録されてしまうことが抑制される。
【００８５】  また広告システム１では、電子クーポンを登録できる場所がユーザの位置に基づいて設定されるため、ユーザは電子クーポンを登録する場所又はその付近まで実際に行く必要があり、実際の場所を見ることなくその場所に電子クーポンを登録することができにくくなっている。その結果、電子クーポンを提供する場所に適さない場所に電子クーポンを登録してしまうことが抑制される。
【００８６】  さらに広告システム１では、ユーザの位置を含む区画８０だけでなく、その周辺にある区画８０も、電子クーポンを登録できる場所として設定される。その結果として、ユーザの利便性が担保される。例えば、大きな交差点の向かい側の場所に電子クーポンを登録したいような場合、ユーザは実際に交差点を渡って向かい側まで行かなくても電子クーポンを登録することができる。
【００８７】  また広告システム１では、ユーザの位置を含む区画８０だけでなく、その周辺にある区画８０も、電子広告を登録できる場所として設定される。このように設定されることによって、電子クーポンを登録できる場所として、道路を通る区画８０が少なくとも一つ設定されるように担保される。すなわち、電子クーポンを登録できる場所として、人が通る場所が少なくとも一つ提示される。
【００８８】  さらに広告システム１では、電子クーポンが位置ではなく、領域（区画８０）に登録される。このようなシステムでは、同一の電子クーポンが近い場所に複数登録されないようにする必要がある。この点、電子クーポンが領域に登録されている場合には、電子クーポンを領域に登録する際に、単に、その領域に同一の電子クーポンが登録されているか否かを確認するだけでよい。一方、電子クーポンが位置に登録されている場合には、電子クーポンを位置に登録する際に、その付近に登録されている同一の電子クーポンを探索しなければならなくなる。このように、電子クーポンを領域に登録することによって、電子クーポンを位置に登録する場合に比べて処理を簡略化することが可能になる。
【００８９】  また広告システム１では、ユーザが登録した電子クーポンが他のユーザによって取得された場合、当該ユーザにゲームポイントが付与される。また、ユーザのゲームポイントのランキングが発表される。その結果、ゲームポイントの多さを競い合うという楽しみがユーザに与えられる。
【００９０】  さらに広告システム１では、ユーザが登録した電子クーポンが他のユーザによって取得されて利用された場合、当該ユーザにショッピングポイントが付与される。
【００９１】  広告システム１では、より多くのゲームポイント及びショッピングポイントを獲得するべく、ユーザはより多くの場所に電子クーポンを登録したり、より多くの他のユーザに取得してもらえるような場所に電子クーポンを登録したりするようになる。その結果、電子広告が積極的かつ効率的に行われるようになる。
【００９２】  なお、電子クーポンは繰り返し利用できるようにしてもよいし、電子クーポンは利用された場合に消費されるようにしてもよい。また、ユーザは自らが利用してない電子クーポンのみを登録できるようにしてもよい。また、ユーザが電子クーポンを登録した場合、その電子クーポンは利用できないようにしてもよい。また、電子クーポンの利用回数を制限するようにしてもよい。電子クーポンの登録回数も制限するようにしてもよい。
【００９３】  次に、広告システム１で実現される機能ブロックについて説明する。図１２は、広告システム１で実現される機能ブロックを示す機能ブロック図である。図１２に示すように、広告システム１は、記憶部１１０、第１位置情報取得部１１２、候補領域設定部１１３、対象領域設定部１１４、関連付け情報登録部１１５、第２位置情報取得部１１６、及び電子広告提供部１１７を含む。
【００９４】  例えば、記憶部１１０はデータベース１５によって実現され、記憶部１１０以外の機能ブロックは広告サーバ１０の制御部１１によって実現される。すなわち、制御部１１がプログラムに従って処理を実行することによって、制御部１１が記憶部１１０以外の機能ブロックとして機能するようになる。
【００９５】  まず記憶部１１０について説明する。記憶部１１０は電子広告を提供するために必要な情報を記憶する。記憶部１１０は関連付け情報記憶部１１１を含む。関連付け情報記憶部１１１は、電子広告と現実空間内の領域との関連付けを示す関連付け情報を記憶する。
【００９６】  図１３〜図１９は記憶部１１０に記憶される情報の一例を示す。図１３はユーザテーブルの一例を示す。ユーザテーブルは、広告サーバ１０によって提供されるサービスを利用するユーザの一覧を示す。例えば、ユーザテーブルは「ユーザＩＤ」、「パスワード」、「ユーザ名」、「メールアドレス」、「ゲームポイント」、及び「ショッピングポイント」フィールドを含む。
【００９７】  「ユーザＩＤ」フィールドはユーザを一意に識別するための識別情報を示す。「パスワード」フィールドはユーザによって指定されたパスワードを示す。「ユーザ名」及び「メールアドレス」フィールドはユーザの名前及びメールアドレスを示す。「ゲームポイント」フィールドはユーザのゲームポイントを示す。「ショッピングポイント」フィールドはユーザが所有しているショッピングポイントの残高を示す。
【００９８】  図１４はユーザ位置テーブルの一例を示す。ユーザ位置テーブルは各ユーザの位置情報を示す。例えば、ユーザ位置テーブルは「ユーザＩＤ」、「位置情報」、及び「取得日時」フィールドを含む。
【００９９】  「ユーザＩＤ」フィールドはユーザのユーザＩＤを示す。「位置情報」フィールドには、ユーザ端末２０から受信した位置情報が記憶される。「取得日時」フィールドは、位置情報が取得された日時を示す。
【０１００】  広告システム１では、ユーザ端末２０で起動されているアプリケーションプログラムによって、ユーザ端末２０の位置情報が定期的に広告サーバ１０に送信される。例えば、位置情報が取得されるごとに最新の位置情報が広告サーバ１０に送信される。また例えば、所定時間ごとに最新の位置情報が広告サーバ１０に送信される。また例えば、ユーザ端末２０と通信接続している携帯電話基地局が切り替わった場合に、最新の位置情報が広告サーバ１０に送信される。「位置情報」フィールドには、ユーザ端末２０から受信した最新の位置情報が記憶される。
【０１０１】  なお、所定時間ごとに最新の位置情報を広告サーバ１０に送信する場合、アプリケーションプログラムがアクティブである場合（すなわち、アプリケーションプログラムの画面が表示部２６に表示されている場合）と、アプリケーションプログラムがアクティブでない場合とで送信間隔を変えるようにしてもよい。例えば、アプリケーションプログラムがアクティブである場合には、第１時間（例えば５分）ごとに最新の位置情報を広告サーバ１０に送信し、アプリケーションプログラムがアクティブでない場合には、第１時間よりも長い第２時間（例えば１５分）ごとに最新の位置情報を広告サーバ１０に送信するようにしてもよい。
【０１０２】  図１５は広告主テーブルの一例を示す。広告主テーブルは、広告サーバ１０によって提供されるサービスを利用する広告主の一覧を示す。例えば、広告主テーブルは「広告主ＩＤ」、「広告主名」、及び「所在地情報」フィールドを含む。
【０１０３】  「広告主ＩＤ」フィールドは広告主を一意に識別するための識別情報を示す。「広告主名」フィールドは広告主の名称を示す。「所在地情報」フィールドには、広告主が営業する店舗の所在地を示す情報が記憶される。
【０１０４】  図１６は電子クーポンテーブルの一例を示す。電子クーポンテーブルは、広告サーバ１０によって提供されている電子クーポンの一覧を示す。例えば、電子クーポンテーブルは「クーポンＩＤ」、「広告主ＩＤ」、「カテゴリー」、及び「クーポン情報」フィールドを含む。
【０１０５】  「クーポンＩＤ」フィールドは電子クーポンを一意に識別するための識別情報を示す。「広告主ＩＤ」フィールドは電子クーポンの提供者（広告主）の広告主ＩＤを示す。「カテゴリー」フィールドは電子クーポンが属するカテゴリーを示す。「クーポン情報」フィールドには電子クーポンの内容を示す情報が記憶される。
【０１０６】  図１７は所有状況テーブルの一例を示す。所有状況テーブルは各ユーザが所有している電子クーポンの一覧を示す。例えば、所有状況テーブルは「ユーザＩＤ」、「クーポンＩＤ」、「登録ユーザＩＤ」、及び「利用履歴情報」フィールドを含む。
【０１０７】  「ユーザＩＤ」フィールドはユーザのユーザＩＤを示す。「クーポンＩＤ」フィールドは電子クーポンのクーポンＩＤを示す。電子クーポンが他のユーザによって登録された電子クーポンを取得した場合、電子クーポンを登録したユーザのユーザＩＤが「登録ユーザＩＤ」フィールドに記憶される。「利用履歴情報」フィールドには、ユーザによる電子クーポンの利用履歴を示す情報が記憶される。
【０１０８】  図１８は区画テーブルの一例を示す。区画テーブルは現実空間内に設定された複数の区画８０の一覧を示す。例えば、区画テーブルは「区画ＩＤ」及び「区画情報」フィールドを含む。
【０１０９】  「区画ＩＤ」フィールドは区画８０を一意に識別する識別情報を示す。「区画情報」フィールドには、区画８０を特定するための情報が登録される。区画８０は一定の大きさの矩形領域であるため、区画８０の代表点（例えば中心点又は左上頂点等）の位置（例えば緯度及び経度）を示す情報が「区画情報」フィールドに記憶される。
【０１１０】  図１９は登録状況テーブルの一例を示す。登録状況テーブルは現実空間内の領域に登録された電子クーポンの一覧を示す。例えば、登録状況テーブルは「登録クーポンＩＤ」、「クーポンＩＤ」、「区画ＩＤ」、「登録ユーザＩＤ」、「登録日時」、「有効期限」、及び「無効」フィールドを含む。
【０１１１】  「登録クーポンＩＤ」フィールドは、登録された電子クーポンを一意に識別する識別情報を示す。「クーポンＩＤ」フィールドは、登録された電子クーポンのクーポンＩＤを示す。「区画ＩＤ」フィールドは電子クーポンが登録された区画８０の区画ＩＤを示す。「登録ユーザＩＤ」フィールドは電子クーポンを登録したユーザのユーザＩＤを示す。
【０１１２】  「登録日時」フィールドは電子クーポンが登録された日時を示す。「有効期限」フィールドは、登録された電子クーポンの有効期限を示す。例えば、登録日時から所定時間（例えば３時間）が経過してなる日時が「有効期限」フィールドに登録される。
【０１１３】  「無効」フィールドは、登録された電子クーポンが無効であるか否かを示す。例えば値「０」又は「１」が「無効」フィールドに登録される。値「０」は電子クーポンが有効であることを示し、値「１」は電子クーポンが無効であることを示す。「無効」フィールドの初期値は「０」に設定され、登録された電子クーポンの有効期限が経過した場合に「無効」フィールドの値は「０」から「１」に更新される。
【０１１４】  なお、以上に説明した登録状況テーブルの各レコードは、電子クーポンと区画８０（現実空間内の領域）との関連付けを示しているため、先述の「関連付け情報」に相当する。
【０１１５】  次に、ユーザが電子広告（例えば電子クーポン）を現実空間内の領域（例えば区画８０）に関連付けることができるようにするための機能ブロックについて説明する。第１位置情報取得部１１２、候補領域設定部１１３、対象領域設定部１１４、及び関連付け情報登録部１１５が当該機能ブロックに相当する。
【０１１６】  第１位置情報取得部１１２について説明する。第１位置情報取得部１１２は第１ユーザの位置に関する第１位置情報を取得する。
【０１１７】  なお、例えば、「第１位置情報」はユーザの最新位置を示す情報である。「第１位置情報」はユーザの現在位置を示す情報であってもよいし、ユーザの過去位置（現時点よりも前の時点における位置、又は最新の位置が取得された時点よりも前の時点における位置）を示す情報であってもよい。あるいは、「第１位置情報」はユーザの現在位置及び過去位置を示す情報であってもよい。
【０１１８】  先述したように、本実施形態では、ユーザ端末２０の位置情報が定期的に広告サーバ１０に送信され、最新の位置情報がユーザ位置テーブルに記憶される。このため、第１位置情報取得部１１２は、第１ユーザのユーザＩＤに関連付けられた位置情報をユーザ位置テーブルから読み出し、上記「第１位置情報」として取得する。
【０１１９】  なお、ユーザ端末２０の位置情報を定期的に広告サーバ１０に送信するのではなく、電子広告を現実空間内の領域に関連付けることを要求する操作が行われた場合に、最新の位置情報をユーザ端末２０から広告サーバ１０に送信するようにしてもよい。
【０１２０】  例えば図４〜図９に示した例であれば、クーポン画面６０において登録ボタン６６を選択する操作が「電子広告を現実空間内の領域に関連付けることを要求する操作」に相当する。このため、登録ボタン６６が選択された場合に、最新の位置情報をユーザ端末２０から広告サーバ１０に送信するようにしてもよい。この場合、第１位置情報取得部１１２はユーザ端末２０から送信された位置情報を受信して、当該位置情報を上記「第１位置情報」として取得する。
【０１２１】  なお、ユーザ端末２０はユーザ端末２０の位置自体を示す情報を広告サーバ１０に送信するのではなく、ユーザ端末２０の位置を取得するための基礎となる情報を広告サーバ１０に送信するようにしてもよい。
【０１２２】  例えば、ユーザ端末２０は、ＧＰＳ受信部２４によって受信された信号を示す情報を広告サーバ１０に送信するようにしてもよい。または、ユーザ端末２０は、ユーザ端末２０と通信している携帯電話基地局の位置情報を広告サーバ１０に送信するようにしてもよい。あるいは、ユーザ端末２０は、ユーザ端末２０と通信している無線ＬＡＮ基地局の位置情報を広告サーバ１０に送信するようにしてもよい。
【０１２３】  この場合、第１位置情報取得部１１２は、ユーザ端末２０から送信された上記情報に基づいて、ユーザ端末２０の位置情報を取得（算出）し、当該位置情報を上記「第１位置情報」として取得する。
【０１２４】  候補領域設定部１１３について説明する。候補領域設定部１１３は、電子広告を関連付ける対象の領域の候補である候補領域を、第１位置情報取得部１１２によって取得された第１位置情報に基づいて設定する。
【０１２５】  候補領域設定部１１３は、第１位置情報が示す位置の周辺領域であって、かつ、当該位置を含む領域を候補領域として設定する。例えば、候補領域設定部１１３は、複数の部分領域を含んでなる領域を候補領域として設定する。より具体的には、候補領域設定部１１３は、第１位置情報が示す位置を含む部分領域と、当該部分領域の周辺に位置する複数の部分領域と、を含んでなる領域を候補領域として設定する。
【０１２６】  例えば図４〜図９に示した例であれば、候補領域設定部１１３は、第１位置情報が示す位置を含む区画８０と、当該区画８０の周辺の複数の区画８０との集合を候補領域７６として設定する。この場合、区画８０が上記「部分領域」に相当する。
【０１２７】  例えば、候補領域設定部１１３は、第１位置情報が示す位置を含む区画８０と、当該区画８０の八方を囲む八個の区画８０との集合を候補領域７６として設定する。言い換えれば、候補領域設定部１１３は、第１位置情報が示す位置を含む区画８０と、当該区画８０の上、下、左、右、左上、右上、左下、右下側に隣接する八個の区画８０との集合を候補領域７６として設定する。
【０１２８】  または、候補領域設定部１１３は、第１位置情報が示す位置を含む区画８０と、当該区画８０の四方を囲む四個の区画８０との集合を候補領域７６として設定するようにしてもよい。言い換えれば、候補領域設定部１１３は、第１位置情報が示す位置を含む区画８０と、当該区画８０の上、下、左、右側に隣接する四個の区画８０との集合を候補領域７６として設定するようにしてもよい。
【０１２９】  なお、候補領域設定部１１３は、登録対象の電子広告と所定の関係を有する電子広告が既に登録されている領域が候補領域に含まれる場合、当該領域を候補領域から除外するようにしてもよい。
【０１３０】  ここで、「登録対象の電子広告と所定の関係を有する電子広告」とは、例えば「登録対象の電子広告と同一の電子広告」である。または、「登録対象の電子広告と所定の関係を有する電子広告」とは「登録対象の電子広告と同一のカテゴリーに属する電子広告」である。
【０１３１】  例えば図４〜図９に示した例であれば、候補領域設定部１１３は、登録対象の電子クーポン（すなわち、クーポン一覧画面５０において選択された電子クーポン）と同一の電子クーポンが既に登録されている区画８０を候補領域７６から除外する。
【０１３２】  この場合、区画指定画面７０において、上記のような区画８０を表示しないようにしてもよいし、上記のような区画８０を他の区画８０と区別して表示するようにしてもよい。後者の場合、上記のような区画８０の指定を受け付けないようにすればよい。
【０１３３】  対象領域設定部１１４について説明する。対象領域設定部１１４は、候補領域設定部１１３によって設定された候補領域内の一部領域を、電子広告を関連付ける対象の領域（登録対象の領域）として設定する。
【０１３４】  例えば、対象領域設定部１１４は候補領域をユーザに提示し、候補領域内の位置又は一部領域の指定をユーザから受け付ける。そして、対象領域設定部１１４は、ユーザによって指定された位置又は一部領域に基づいて登録対象の領域を設定する。
【０１３５】  例えば、複数の部分領域を含んでなる領域が候補領域として設定されている場合、対象領域設定部１１４はそれら複数の部分領域をユーザに提示し、それら複数の部分領域のうちの少なくとも一つの指定をユーザから受け付ける。そして、対象領域設定部１１４は、ユーザによって指定された少なくとも一つの部分領域を登録対象の領域として設定する。
【０１３６】  例えば図４〜図９に示した例であれば、対象領域設定部１１４は区画指定画面７０をユーザ端末２０に表示させることによって、複数の区画８０を含んでなる候補領域７６をユーザに提示する。また、対象領域設定部１１４はそれら複数の区画８０のうちのいずれかの指定をユーザから受け付ける。そして、対象領域設定部１１４はユーザによって指定された区画８０を登録対象の領域として設定する。
【０１３７】  次に、関連付け情報登録部１１５について説明する。関連付け情報登録部１１５は、登録対象の電子広告と、対象領域設定部１１４によって登録対象の領域として設定された領域と、の関連付けを示す関連付け情報を関連付け情報記憶部１１１に登録する。
【０１３８】  例えば図４〜図９に示した例であれば、関連付け情報登録部１１５は、登録対象の電子クーポン（すなわち、クーポン一覧画面５０で選択された電子クーポン）と、登録対象の区画８０（すなわち、区画指定画面７０で指定された区画８０）と、の関連付けを示すレコードを登録状況テーブルに追加する。
【０１３９】  次に、現実空間内の領域に関連付けられた電子広告をユーザが取得できるようにするための機能ブロックについて説明する。第２位置情報取得部１１６及び電子広告提供部１１７が当該機能ブロックに相当する。
【０１４０】  第２位置情報取得部１１６について説明する。第２位置情報取得部１１６は第２ユーザの位置に関する第２位置情報を取得する。
【０１４１】  先述のように、本実施形態では、ユーザ端末２０の位置情報が定期的に広告サーバ１０に送信される。そして、最新の位置情報がユーザ位置テーブルに記憶されている。このため、第２位置情報取得部１１６は第２ユーザのユーザＩＤに関連付けられた位置情報をユーザ位置テーブルから読み出し、上記「第２位置情報」として取得する。
【０１４２】  なお、ユーザ端末２０の位置情報を定期的に広告サーバ１０に送信するのではなく、電子広告の提供を要求する操作が行われた場合に、ユーザ端末２０の最新の位置情報を広告サーバ１０に送信するようにしてもよい。
【０１４３】  例えば図１０及び図１１に示した例であれば、クーポン画面１００において取得ボタン１０６を選択する操作が「電子広告の提供を要求する操作」に相当する。このため、取得ボタン１０６が選択された場合に、ユーザ端末２０の最新の位置情報を広告サーバ１０に送信するようにしてもよい。この場合、第２位置情報取得部１１６はユーザ端末２０から送信された位置情報を受信して、当該位置情報を上記「第２位置情報」として取得する。
【０１４４】  なお、ユーザ端末２０はユーザ端末２０の位置自体を示す情報を広告サーバ１０に送信するのではなく、ユーザ端末２０の位置を取得するための基礎となる情報を広告サーバ１０に送信するようにしてもよい。
【０１４５】  例えば、ユーザ端末２０は、ＧＰＳ受信部２４によって受信された信号を示す情報を広告サーバ１０に送信するようにしてもよい。または、ユーザ端末２０は、ユーザ端末２０と通信している携帯電話基地局の位置情報を広告サーバ１０に送信するようにしてもよい。あるいは、ユーザ端末２０は、ユーザ端末２０と通信している無線ＬＡＮ基地局の位置情報を広告サーバ１０に送信するようにしてもよい。
【０１４６】  この場合、第２位置情報取得部１１６は、ユーザ端末２０から送信された上記情報に基づいて、ユーザ端末２０の位置情報を取得（算出）し、当該位置情報を上記「第２位置情報」として取得する。
【０１４７】  電子広告提供部１１７について説明する。電子広告の提供の要求をユーザ（第２ユーザ）から受け付けた場合、電子広告提供部１１７は、関連付け情報記憶部１１１に登録された領域と、第２位置情報取得部１１６によって取得された第２位置情報と、に基づいて、関連付け情報記憶部１１１に登録された電子広告の中から当該ユーザに提供する電子広告を抽出し、当該電子広告を当該ユーザに提供する。
【０１４８】  例えば図１０及び図１１に示した例であれば、電子広告提供部１１７は、第２位置情報によって示される位置を含む区画８０に登録された電子クーポンをユーザに提供する。
【０１４９】  なお、電子広告提供部１１７は、第２位置情報によって示される位置を含む区画８０の周辺に位置する区画８０に登録されている電子クーポンもユーザに提供するようにしてもよい。例えば、電子広告提供部１１７は、第２位置情報によって示される位置を含む区画８０を囲む八つの区画８０に登録されている電子クーポンもユーザに提供するようにしてもよい。
【０１５０】  または、電子広告提供部１１７は、第２位置情報が示す位置からの距離が基準距離以下である区画８０に登録されている電子クーポンをユーザに提供するようにしてもよい。
【０１５１】  次に、広告システム１で実行される処理について説明する。図２０及び図２１はメニュー画面４０のメニューボタン４２Ａが選択された場合に実行される処理の一例を示す。広告サーバ１０の制御部１１が図２０及び図２１に示す処理をプログラムに従って実行することによって、制御部１１が第１位置情報取得部１１２、候補領域設定部１１３、対象領域設定部１１４、及び関連付け情報登録部１１５として機能するようになる。
【０１５２】  メニュー画面４０のメニューボタン４２Ａが選択された場合、ユーザ端末２０の制御部２１はクーポン一覧画面５０のデータを広告サーバ１０に要求する（Ｓ１０１）。この場合、ユーザのユーザＩＤが広告サーバ１０に送信される。
【０１５３】  上記要求が広告サーバ１０で受信された場合、広告サーバ１０の制御部１１は、ユーザが所有している電子クーポンの一覧を取得する（Ｓ１０２）。制御部１１は所有状況テーブルにアクセスし、ユーザ端末２０から受信したユーザＩＤが「ユーザＩＤ」フィールドに記憶されているレコードを取得することによって、ユーザが所有している電子クーポンの一覧を取得する。そして、取得された一覧に基づいて、制御部１１はクーポン一覧画面５０のデータを生成し、当該データをユーザ端末２０に送信する（Ｓ１０３）。また、当該データに基づいて、ユーザ端末２０の制御部２１はクーポン一覧画面５０を表示部２６に表示する（Ｓ１０４）。
【０１５４】  クーポン一覧画面５０が表示部２６に表示されている間、制御部２１はいずれかのクーポンボタン５２が選択されたか否かを監視する。いずれかのクーポンボタン５２が選択された場合、制御部２１はクーポン画面６０のデータを広告サーバ１０に要求する（Ｓ１０５）。この場合、ユーザのユーザＩＤと、ユーザによって選択されたクーポンボタン５２に対応する電子クーポン（すなわち、登録対象の電子クーポン）のクーポンＩＤとが広告サーバ１０に送信される。
【０１５５】  上記要求が広告サーバ１０で受信された場合、広告サーバ１０の制御部１１はクーポン情報を取得する（Ｓ１０６）。すなわち、制御部１１は電子クーポンテーブルにアクセスし、ユーザ端末２０から受信したクーポンＩＤが「クーポンＩＤ」フィールドに記憶されているレコードを取得する。そして、取得されたレコードの各フィールドに記憶された情報に基づいて、制御部１１はクーポン画面６０のデータを生成する。なお、この際、制御部１１はユーザＩＤ、クーポンＩＤ、及び登録ユーザＩＤの組合せをコード化してなるコード画像６４を生成する。
【０１５６】  制御部１１はクーポン画面６０のデータをユーザ端末２０に送信する（Ｓ１０７）。また、当該データに基づいて、ユーザ端末２０の制御部２１はクーポン画面６０を表示部２６に表示する（Ｓ１０８）。
【０１５７】  クーポン画面６０が表示部２６に表示されている間、制御部２１は登録ボタン６６が選択されたか否かを監視する。登録ボタン６６が選択された場合、図２１に示すように、制御部２１は区画指定画面７０のデータを広告サーバ１０に要求する（Ｓ１０９）。この場合、ユーザのユーザＩＤと、登録対象の電子クーポンのクーポンＩＤとが広告サーバ１０に送信される。
【０１５８】  上記要求が広告サーバ１０で受信された場合、広告サーバ１０の制御部１１（候補領域設定部１１３）は候補領域７６を設定する（Ｓ１１０）。まず、制御部１１（第１位置情報取得部１１２）はユーザ位置テーブルにアクセスし、ユーザの位置情報を読み出す。また、制御部１１は区画テーブルにアクセスし、位置情報が示す位置を含む区画８０を特定する。さらに、制御部１１はその区画８０を囲む八個の区画８０を特定する。そして、制御部１１はそれら九個の区画８０の集合を候補領域７６として設定する。
【０１５９】  なお、制御部１１は登録状況テーブルにアクセスし、それら九個の区画８０のうちに、登録対象の電子クーポンと同一の電子クーポンが登録されている区画８０が存在しているか否かを判定する。そして、そのような区画８０が存在していたら、制御部１１はその区画８０を候補領域７６から除外する。
【０１６０】  その後、制御部１１は区画指定画面７０のデータを生成し、当該データをユーザ端末２０に送信する（Ｓ１１１）。また、当該データに基づいて、ユーザ端末２０の制御部２１は区画指定画面７０を表示部２６に表示する（Ｓ１１２）。区画指定画面７０が表示されることによって、ステップＳ１１０で設定された候補領域７６がユーザに提示される。
【０１６１】  区画指定画面７０が表示部２６に表示されている間、制御部２１は候補領域７６内のいずれかの区画８０が指定されたか否かを監視する。いずれかの区画８０が指定された場合、制御部２１はユーザによって指定された区画８０を広告サーバ１０に通知する（Ｓ１１３）。この場合、ユーザのユーザＩＤと、登録対象の電子クーポンのクーポンＩＤと、ユーザによって指定された区画８０の区画ＩＤとが広告サーバ１０に送信される。
【０１６２】  上記要求が広告サーバ１０で受信された場合、広告サーバ１０の制御部１１（対象領域設定部１１４及び関連付け情報登録部１１５）は、ユーザによって指定された区画８０を登録対象の区画８０として、登録対象の電子クーポンと登録対象の区画８０との関連付けを登録する（Ｓ１１４）。
【０１６３】  具体的には、制御部１１は登録状況テーブルに新たなレコードを追加する。そして、制御部１１は登録クーポンＩＤを新たに生成し、当該登録クーポンＩＤを上記新たなレコードの「登録クーポンＩＤ」フィールドに登録する。
【０１６４】  また制御部１１は、ユーザ端末２０から受信したクーポンＩＤを上記新たなレコードの「クーポンＩＤ」フィールドに登録する。さらに制御部１１は、ユーザ端末２０から受信した区画ＩＤを上記新たなレコードの「区画ＩＤ」フィールドに登録する。また制御部１１は、ユーザ端末２０から受信したユーザＩＤを上記新たなレコードの「登録ユーザＩＤ」フィールドに登録する。
【０１６５】  さらに制御部１１は現在日時を上記新たなレコードの「登録日時」フィールドに登録し、現在日時から所定時間が経過してなる日時を上記新たなレコードの「有効期限」フィールドに登録する。また制御部１１は値「０」を上記新たなレコードの「無効」フィールドに登録する。
【０１６６】  ステップＳ１１４の処理が完了した場合、制御部１１は、関連付けが正常に完了したことを示す完了画面のデータをユーザ端末２０に送信する（Ｓ１１５）。そして、ユーザ端末２０の表示部２６には完了画面が表示される（Ｓ１１６）。以上で、メニュー画面４０のメニューボタン４２Ａが選択された場合に実行される処理は完了する。
【０１６７】  図２２はメニュー画面４０のメニューボタン４２Ｂが選択された場合に実行される処理の一例を示す。広告サーバ１０の制御部１１が図２２に示す処理をプログラムに従って実行することによって、制御部１１が第２位置情報取得部１１６及び電子広告提供部１１７として機能するようになる。
【０１６８】  メニュー画面４０のメニューボタン４２Ｂが選択された場合、ユーザ端末２０の制御部２１はクーポン一覧画面９０のデータを広告サーバ１０に要求する（Ｓ２０１）。この場合、ユーザのユーザＩＤが広告サーバ１０に送信される。
【０１６９】  上記要求が広告サーバ１０で受信された場合、広告サーバ１０の制御部１１は、ユーザが位置している区画８０に登録されている電子クーポンの一覧を取得する（Ｓ２０２）。すなわち、制御部１１はユーザが取得可能な電子クーポンの一覧を取得する。
【０１７０】  まず、制御部１１（第２位置情報取得部１１６）はユーザ位置テーブルにアクセスし、ユーザの位置情報を読み出す。また、制御部１１は区画テーブルにアクセスし、当該位置情報が示す位置を含む区画８０の区画ＩＤを取得する。さらに、制御部１１は登録状況テーブルにアクセスし、当該区画ＩＤが「区画ＩＤ」フィールドに記憶されており、かつ、値「０」が「無効」フィールドに登録されているレコードを取得することによって、ユーザが位置している区画８０に登録されている電子クーポンの一覧を取得する。
【０１７１】  そして、制御部１１は、ステップＳ２０２の取得結果に基づいて、クーポン一覧画面９０のデータを生成し、当該データをユーザ端末２０に送信する（Ｓ２０３）。そして、当該データに基づいて、ユーザ端末２０の制御部２１はクーポン一覧画面９０を表示部２６に表示する（Ｓ２０４）。
【０１７２】  クーポン一覧画面９０が表示部２６に表示されている間、制御部２１はいずれかのクーポンボタン９２が選択されたか否かを監視する。いずれかのクーポンボタン９２が選択された場合、制御部２１はクーポン画面１００のデータを広告サーバ１０に要求する（Ｓ２０５）。この場合、ユーザ端末２０を使用しているユーザＩＤと、ユーザによって選択されたクーポンボタン９２に対応する電子クーポン（すなわち、取得対象の電子クーポン）のクーポンＩＤとが広告サーバ１０に送信される。
【０１７３】  上記要求が広告サーバ１０で受信された場合、広告サーバ１０の制御部１１はクーポン情報を取得する（Ｓ２０６）。すなわち、制御部１１は電子クーポンテーブルにアクセスし、ユーザ端末２０から受信されたクーポンＩＤが「クーポンＩＤ」フィールドに登録されているレコードを取得する。そして、制御部１１は、取得されたレコードの各フィールドに登録された情報に基づいて、クーポン画面１００のデータを生成する。なお、この際、制御部１１はユーザＩＤ、クーポンＩＤ、及び登録ユーザＩＤの組合せをコード化してなるコード画像１０４を生成する。
【０１７４】  制御部１１はクーポン画面１００のデータをユーザ端末２０に送信する（Ｓ２０７）。また、当該データに基づいて、ユーザ端末２０の制御部２１はクーポン画面１００を表示部２６に表示する（Ｓ２０８）。
【０１７５】  クーポン画面１００が表示部２６に表示されている間、制御部２１は取得ボタン１０６が選択されたか否かを監視する。取得ボタン１０６が選択された場合、制御部２１は電子クーポンの提供を広告サーバ１０に要求する（Ｓ２０９）。この場合、ユーザのユーザＩＤと、取得対象の電子クーポンの登録クーポンＩＤとが広告サーバ１０に送信される。
【０１７６】  上記要求が広告サーバ１０で受信された場合、広告サーバ１０の制御部１１（電子広告提供部１１７）は電子クーポンをユーザに付与する（Ｓ２１０）。
【０１７７】  まず、制御部１１は登録状況テーブルにアクセスし、ユーザ端末２０から受信した登録クーポンＩＤに関連付けられているクーポンＩＤ及び登録ユーザＩＤを取得する。すなわち、制御部１１は登録クーポンＩＤが「登録クーポンＩＤ」フィールドに記憶されているレコードを読み出し、当該レコードの「クーポンＩＤ」及び「登録ユーザＩＤ」フィールドに記憶されたクーポンＩＤ及び登録ユーザＩＤを取得する。
【０１７８】  また、制御部１１は所有状況テーブルに新たなレコードを追加する。そして、制御部１１はユーザ端末２０から受信したユーザＩＤを上記新たなレコードの「ユーザＩＤ」フィールドに登録する。また、制御部１１は登録状況テーブルから取得したクーポンＩＤ及び登録ユーザＩＤを上記新たなレコードの「クーポンＩＤ」及び「登録ユーザＩＤ」フィールドに登録する。
【０１７９】  その後、制御部１１は、ステップＳ２１０においてユーザに付与した電子クーポンを登録したユーザのゲームポイントを増加する（Ｓ２１１）。すなわち、制御部１１は、ユーザテーブルのレコードのうちの、ステップＳ２１０において登録状況テーブルから取得した登録ユーザＩＤが「ユーザＩＤ」フィールドに記憶されたレコードにアクセスし、当該レコードの「ゲームポイント」フィールドの値に所定値を加算する。
【０１８０】  ステップＳ２１１が実行された後、制御部１１はクーポン一覧画面５０のデータを生成し、当該データをユーザ端末２０に送信する（Ｓ２１２）。そして、ユーザ端末２０では、クーポン一覧画面５０が当該データに基づいて表示部２６に表示される（Ｓ２１３）。以上で、メニュー画面４０のメニューボタン４２Ｂが選択された場合に実行される処理は完了する。
【０１８１】  図２３は、店舗において電子クーポンが利用された場合に実行される処理の一例を示す。すなわち、ユーザ端末２０の表示部２６に表示されたコード画像６４が店舗端末３０によって読み取られた場合に実行される処理の一例を示す。
【０１８２】  図２３に示すように、店舗において電子クーポンが利用された場合、店舗端末３０は電子クーポンが利用されたことを広告サーバ１０に通知する（Ｓ３０１）。この場合、店舗端末３０はコード画像６４からユーザＩＤ、クーポンＩＤ、及び登録ユーザＩＤを読み取り、それらのユーザＩＤ、クーポンＩＤ、及び登録ユーザＩＤを広告サーバ１０に送信する。
【０１８３】  上記通知が広告サーバ１０で受信された場合、広告サーバ１０の制御部１１は電子クーポンの利用履歴情報を更新する（Ｓ３０２）。具体的には、制御部１１は、所有状況テーブルのレコードのうちの、ユーザ端末２０から受信したユーザＩＤ及びクーポンＩＤが「ユーザＩＤ」及び「クーポンＩＤ」フィールドに記憶されたレコードにアクセスし、当該レコードの「利用履歴情報」フィールドを更新する。
【０１８４】  さらに、制御部１１は、利用された電子クーポンを登録したユーザのショッピングポイントを増加する（Ｓ３０３）。具体的には、制御部１１は、ユーザテーブルのレコードのうちの、ユーザ端末２０から受信した登録ユーザＩＤが「ユーザＩＤ」フィールドに記憶されたレコードにアクセスし、当該レコードの「ショッピングポイント」フィールドの値に所定値を加算する。
【０１８５】  ステップＳ３０３が実行された後、制御部１１は処理が完了したことを店舗端末３０に通知する（Ｓ３０４）。以上で、店舗において電子クーポンが利用された場合に実行される処理は完了する。
【０１８６】  以上に説明した第１実施形態に係る広告システム１によれば、電子クーポンを登録できる場所がユーザの位置に基づいて設定される。このため、電子クーポンを登録するために、ユーザは電子クーポンを登録する場所又はその付近まで実際に行く必要がある。その結果、無差別かつ大量に電子広告が登録されてしまうことを抑制することができる。また、電子クーポンを提供する場所に適さない場所に電子クーポンを登録してしまうことも抑制することができる。
【０１８７】  また広告システム１によれば、ユーザの位置を含む区画８０だけでなく、その周辺にある区画８０も電子クーポンを登録できる場所として設定される。その結果、ユーザの利便性を担保することが可能になる。例えば、大きな交差点の向かい側の場所に電子クーポンを登録したいような場合、ユーザは実際に交差点を渡って向かい側まで行かなくても電子クーポンを登録することが可能になる。さらに、電子クーポンを登録できる場所として、道路を通る区画８０が少なくとも一つ設定されるように担保することが可能になる。すなわち、電子クーポンを登録できる場所として、人が通る場所が少なくとも一つ設定されるように担保することが可能になる。
【０１８８】  さらに広告システム１によれば、電子クーポンが位置ではなく、領域（区画８０）に関連付けられるようになっており、その結果として、同一の電子クーポンが近い場所に複数登録されないようにするための処理を簡略化することが可能になる。
【０１８９】  また広告システム１では、ユーザが登録した電子クーポンが他のユーザによって取得された場合、当該ユーザにゲームポイントが付与される。さらに、ユーザが登録した電子クーポンが他のユーザによって取得されて利用された場合、当該ユーザにショッピングポイントが付与される。広告システム１によれば、ゲームポイントの多さを競い合うという楽しみをユーザに与えることが可能になる。また、電子広告が積極的かつ効率的に行われるように促すことが可能になる。
【０１９０】  ［第２実施形態］本発明の第２実施形態について説明する。本発明の第２実施形態に係る広告システムの全体構成は第１実施形態と同様である（図１）。第２実施形態に係る広告システム１において第１実施形態と同様のサービスが提供される。
【０１９１】  ただし、第２実施形態では候補領域７６の設定方法が第１実施形態とは異なっている。以下、この相違点について説明する。
【０１９２】  図２４は第２実施形態における区画指定画面７０の一例を示す。第２実施形態の場合、ユーザが通過した複数の区画８０が候補領域７６として設定される。例えば、ユーザの直近の複数個の位置７４Ａ，７４Ｂ，７４Ｃ，７４Ｄ，７４Ｅを順番に結ぶ線１２０が通過する複数の区画８０が候補領域７６として設定される。第１実施形態と同様、区画指定画面７０において、ユーザは候補領域７６に含まれる複数の区画８０のうちのいずれかを登録対象の領域として指定する。
【０１９３】  ユーザが通過した区画８０は人が通行した区画８０である。このため、上記のようにして候補領域７６を設定すれば、電子クーポンを登録することが可能な領域として、人が通行可能な区画８０をユーザに提示できるようになる。
【０１９４】  なお、第１実施形態と同様に、第２実施形態においても、登録対象の電子クーポンと所定の関係を有する電子クーポンが既に登録されている区画８０を候補領域７６から除外するようにしてもよい。例えば、登録対象の電子クーポンと同一の電子クーポンが既に登録されている区画８０を候補領域７６から除外するようにしてもよい。
【０１９５】  第２実施形態に係る広告システム１で実現される機能ブロックは基本的に第１実施形態と同様である（図１２）。ただし、記憶部１１０、第１位置情報取得部１１２、及び候補領域設定部１１３の動作は第１実施形態と異なるため、これらの機能ブロックの動作について説明する。
【０１９６】  第２実施形態における記憶部１１０はユーザ（ユーザ端末２０）の位置情報の履歴を記憶する。図２５は第２実施形態におけるユーザ位置テーブルの一例を示す。図１４に示すユーザ位置テーブルと異なり、図２５に示すユーザ位置テーブルには、ユーザごとに直近のＮ（Ｎ：２以上の整数）個の位置情報が記憶される。この場合、第１位置情報取得部１１２はユーザの位置情報の履歴を記憶部１１０から取得する。
【０１９７】  なお、図２５に示すようなユーザ位置テーブルの代わりに、ユーザが通過した区画８０の履歴を記憶部１１０に記憶するようにしてもよい。
【０１９８】  または、ユーザ端末２０において位置情報の履歴を記憶しておき、例えば、クーポン画面６０の登録ボタン６６が選択された場合に、ユーザ端末２０は位置情報の履歴を広告サーバ１０に送信するようにしてもよい。そして、第１位置情報取得部１１２はユーザ端末２０から送信された位置情報の履歴を取得するようにしてもよい。なお、位置情報の履歴をユーザ端末２０から広告サーバ１０に送信する場合、プライバシーの観点からユーザの承諾を求めるようにしてもよい。
【０１９９】  候補領域設定部１１３はユーザの位置情報の履歴に基づいて候補領域７６を設定する。例えば、ユーザの位置情報の履歴に基づいて、候補領域設定部１１３はユーザが通過した区画８０を特定する。
【０２００】  具体的には、候補領域設定部１１３は直近の所定期間内にユーザが通過した区画８０を特定する。ここで、「直近の所定期間」とは、例えば現時点から所定時間前までの期間である。あるいは、「直近の所定期間」とは、例えば最新の位置情報が取得された時点から、Ｍ（Ｍ：１以上の整数）個前の位置情報が取得された時点までの期間であってもよい。
【０２０１】  例えば図２４に示すように、候補領域設定部１１３は、直近の所定期間内におけるユーザの位置７４Ａ〜７４Ｅを順番に結ぶ線１２０が通過するような複数の区画８０を候補領域７６として設定する。
【０２０２】  以上に説明した第２実施形態に係る広告システム１によれば、電子クーポンを登録することが可能な領域として、人が通行可能な領域をユーザに提示できるようになる。
【０２０３】  ［第３実施形態］本発明の第３実施形態について説明する。本発明の第３実施形態に係る広告システムの全体構成は第１実施形態と同様である（図１）。第３実施形態に係る広告システム１において第１実施形態と同様のサービスが提供される。
【０２０４】  ただし、第３実施形態では候補領域７６の設定方法や登録対象の領域の指定方法が第１実施形態とは異なっている。具体的には、地図上に区画８０が設定されていない点で第１実施形態とは異なる。以下、この相違点について説明する。
【０２０５】  図２６は第３実施形態における区画指定画面７０の一例を示す。第３実施形態の場合、ユーザの位置７４を中心とする所定の矩形領域１３０が候補領域７６として設定される。そして、当該候補領域７６が地図７２上に表示される。
【０２０６】  この場合、ユーザは候補領域７６内の位置を指し示すことによって、登録対象の領域を指定する。例えば図２６に示すように、ユーザの指示位置１３２を中心とする所定の矩形領域１３４が登録対象の領域として設定される。当然ながら、この場合の矩形領域１３４は候補領域７６よりも小さい矩形領域である。なお、ユーザは候補領域７６内で領域（例えば矩形又は円）を指定するように軌跡を描くことによって、登録対象の領域を指定するようにしてもよい。
【０２０７】  なお、第１実施形態と同様に、第３実施形態においても、登録対象の電子クーポンと所定の関係を有する電子クーポンが既に登録されている領域を候補領域７６から除外するようにしてもよい。例えば、登録対象の電子クーポンと同一の電子クーポンが既に関連付けられている領域を候補領域７６から除外するようにしてもよい。
【０２０８】  図２６において、符号「１３６」は候補領域７６から除外する除外領域を示している。除外領域１３６は、登録対象の電子クーポンと同一の電子クーポンが既に登録されている領域１３６Ａと、当該領域１３６Ａの周辺領域１３６Ｂとを含む。なお、周辺領域１３６Ｂは、ユーザの指示位置１３２を中心とする上記矩形領域１３４が上記領域１３６Ａと重なることがないように担保するために設定される。
【０２０９】  第３実施形態に係る広告システム１で実現される機能ブロックは基本的に第１実施形態と同様である（図１２）。ただし、候補領域設定部１１３及び対象領域設定部１１４の動作は第１実施形態と異なるため、これらの機能ブロックの動作について説明する。
【０２１０】  候補領域設定部１１３はユーザの位置及びその周辺領域を候補領域７６として設定する。例えば、候補領域設定部１１３は、ユーザの位置を中心とする矩形領域を候補領域７６として設定する。なお、候補領域７６の形状は矩形に限られず、矩形以外の形状であってもよい。例えば、候補領域設定部１１３は、ユーザの位置からの距離が基準距離以下である円形領域を候補領域７６として設定するようにしてもよい。
【０２１１】  対象領域設定部１１４は候補領域７６内の位置又は一部領域の指定をユーザから受け付ける。そして、対象領域設定部１１４はユーザによって指定された位置又は一部領域に基づいて登録対象の領域を設定する。
【０２１２】  ユーザによって候補領域７６内の位置が指定された場合、対象領域設定部１１４は、当該位置を含むような領域を登録対象の領域として設定する。例えば、対象領域設定部１１４は、ユーザの指示位置１３２を中心とする矩形領域１３４を登録対象の領域として設定する。あるいは、候補領域設定部１１３は、ユーザの指示位置１３２からの距離が基準距離以下である円形領域を登録対象の領域として設定するようにしてもよい。
【０２１３】  一方、ユーザによって候補領域７６内の一部領域が指定された場合、対象領域設定部１１４は当該一部領域を登録対象の領域として設定する。
【０２１４】  なお、本発明は以上に説明した第１実施形態、第２実施形態、及び第３実施形態に限定されるものではない。
【０２１５】  ［１］先述のように、候補領域設定部１１３は、登録対象の電子広告と所定の関係を有する電子広告が既に登録されている領域が候補領域に含まれる場合、当該領域を候補領域から除外するようになっている。このような領域が候補領域から除外される場合、候補領域設定部１１３は、第１位置情報取得部１１２によって取得された第１位置情報に基づいて、候補領域から除外される領域の代替領域を設定し、当該代替領域を候補領域に加えるようにしてもよい。
【０２１６】  図２７は、代替領域が候補領域に加えられた場合の区画指定画面７０の一例を示す。図２７に示す例では、図９に示した例と同様に二つの区画８０が候補領域７６から除外されている。すなわち、中央及び右上の区画８０が候補領域７６から除外されている。しかしながら、その代わりとして、当初の候補領域７６（図８）外にある区画８０のうちから二つの区画８０が代替領域１４０として設定され、それら二つの区画８０が候補領域７６に追加されている。
【０２１７】  すなわち、当初の候補領域７６に隣接する二つの区画８０が代替領域１４０として候補領域７６に追加されている。具体的には、当初の候補領域７６のうちの左上の区画８０の左隣の区画８０と、当初の候補領域７６のうちの左下の区画８０の左隣の区画８０とが代替領域１４０として候補領域７６に追加されている。その結果、ユーザは九個の区画８０のうちから登録対象の領域を選択できるようになっている。すなわち、以上のようにすれば、常にユーザが登録対象の領域を九個の区画８０のうちから指定できるように担保することが可能になる。
【０２１８】  上記のように、候補領域設定部１１３は当初の候補領域７６外の区画８０のうちの少なくとも一つを代替領域１４０として設定する。以下、代替領域１４０の設定方法の例について説明する。
【０２１９】  ［１−１］例えば、候補領域設定部１１３は、当初の候補領域７６に隣接している区画８０のうちから代替領域１４０を選択する。具体的には、候補領域設定部１１３は、当初の候補領域７６に隣接している区画８０のうちの少なくとも一つを代替領域１４０としてランダムに選択する。なお、候補領域設定部１１３は、候補領域７６から除外された区画８０に隣接する区画８０を優先的に代替領域１４０として選択するようにしてもよい。
【０２２０】  ［１−２］また例えば、候補領域設定部１１３はユーザが通過した区画８０のうちから代替領域１４０を選択する。
【０２２１】  この場合、第２実施形態と同様に、ユーザの位置情報の履歴が記憶部１１０に記憶される。すなわち、図２５に示すようなユーザ位置テーブルが記憶部１１０に記憶される。
【０２２２】  上記のユーザ位置テーブルに基づいて、候補領域設定部１１３はユーザが通過した区画８０を特定する。例えば、候補領域設定部１１３は直近の所定期間内にユーザが通過した区画８０を特定する。そして、候補領域設定部１１３は、特定された区画８０のうちから代替領域１４０を選択する。
【０２２３】  ここで、「直近の所定期間」とは、例えば現時点から所定時間前までの期間である。または、「直近の所定期間」とは、例えば最新の位置情報が取得された時点から、Ｍ（Ｍ：１以上の整数）個前の位置情報が取得された時点までの期間であってもよい。
【０２２４】  なお、第２実施形態と同様に、図２５に示すようなユーザ位置テーブルの代わりに、ユーザが通過した区画８０の履歴を記憶部１１０に記憶するようにしてもよい。
【０２２５】  または、ユーザ端末２０において位置情報の履歴を記憶しておき、例えば、クーポン画面６０の登録ボタン６６が選択された場合に、ユーザ端末２０は位置情報の履歴を広告サーバ１０に送信するようにしてもよい。
【０２２６】  ユーザが通過した区画８０は人が通行した区画８０である。このため、以上のようにすれば、登録対象の電子クーポンと同一の電子クーポンが既に登録されている区画８０が候補領域７６から除外されたとしても、人が通行可能な区画８０が代替領域１４０として候補領域７６に追加されるようになる。すなわち、人が通行可能な区画８０を登録対象の領域としてユーザが指定できるようになる。
【０２２７】  ［１−３］また例えば、候補領域設定部１１３は特定の道路を含む区画８０のうちから代替領域１４０を選択する。すなわち、候補領域設定部１１３は、当初の候補領域７６（又は第１位置情報が示す位置）からの距離が基準距離未満である区画８０であって、かつ、特定の道路を含む区画８０を代替領域１４０として選択する。
【０２２８】  ここで、「特定の道路」とは主要な道路であり、例えば人の通行量が多い道路である。また、「当初の候補領域７６からの距離」とは、当初の候補領域７６の中心からの距離であってもよいし、当初の候補領域７６の境界からの距離であってもよい。
【０２２９】  この場合、特定の道路を含むか否かを示す情報が区画８０ごとに記憶される。例えば、「特定道路」フィールドが区画テーブルに追加され、区画８０が特定の道路を含むか否かを示す情報が「特定道路」フィールドに記憶される。また、この区画テーブルに基づいて、候補領域設定部１１３は区画８０が特定の道路を含むか否かを判定する。そして、この判定結果に基づいて、候補領域設定部１１３は代替領域１４０を設定する。なお、候補領域設定部１１３は道路地図情報を参照することによって、区画８０が特定の道路を含むか否かを判定するようにしてもよい。
【０２３０】  以上のようにすれば、登録対象の電子クーポンと同一の電子クーポンが既に登録されている区画８０が候補領域７６から除外されたとしても、人の通行量が多い区画８０が代替領域１４０として候補領域７６に追加されるようになる。すなわち、人の通行量が多い区画８０を登録対象の領域としてユーザが指定できるようになる。
【０２３１】  ［１−４］また例えば、候補領域設定部１１３は特定の施設を含む区画８０のうちから代替領域１４０を選択する。すなわち、候補領域設定部１１３は、第１位置情報が示す位置（又は当初の候補領域７６）からの距離が基準距離未満である区画８０であって、かつ、特定の施設を含む区画８０を代替領域１４０として選択する。
【０２３２】  ここで、「特定の施設」とは人が集まりやすい施設であり、例えばコンビニエンスストア等である。
【０２３３】  この場合、特定の施設を含むか否かを示す情報が区画８０ごとに記憶される。例えば、「特定施設」フィールドが区画テーブルに追加され、区画８０が特定の施設を含むか否かを示す情報が「特定施設」フィールドに記憶される。また、この区画テーブルに基づいて、候補領域設定部１１３は区画８０が特定の施設を含むか否かを判定する。そして、この判定結果に基づいて、候補領域設定部１１３は代替領域１４０を設定する。なお、候補領域設定部１１３は道路地図情報を参照することによって、区画８０が特定の施設を含むか否かを判定するようにしてもよい。
【０２３４】  以上のようにすれば、登録対象の電子クーポンと同一の電子クーポンが既に登録されている区画８０が候補領域７６から除外されたとしても、人が集まりやすい区画８０が代替領域１４０として候補領域７６に追加されるようになる。すなわち、人が集まりやすい区画８０を登録対象の領域としてユーザが指定できるようになる。
【０２３５】  ［１−５］また例えば、候補領域設定部１１３は人の通行量に基づいて代替領域１４０を設定する。
【０２３６】  この場合、人の通行量を示す情報が区画８０ごとに記憶される。例えば、「通行量」フィールドが区画テーブルに追加され、区画８０の通行量に関する情報が「通行量」フィールドに記憶される。そして、候補領域設定部１１３は区画テーブルに基づいて代替領域１４０を選択する。
【０２３７】  候補領域設定部１１３は、当初の候補領域７６（又は第１位置情報が示す位置）からの距離が基準距離未満である区画８０のうちから、代替領域１４０を、各区画８０の通行量に基づいて選択する。例えば、候補領域設定部１１３は通行量の多い区画８０から順番に代替領域１４０として選択する。また例えば、候補領域設定部１１３は、通行量が基準量以上である区画８０を代替領域１４０として選択するようにしてもよい。
【０２３８】  以上のようにすれば、登録対象の電子クーポンと同一の電子クーポンが既に登録されている区画８０が候補領域７６から除外されたとしても、人の通行量が多い区画８０が代替領域１４０として候補領域７６に追加されるようになる。すなわち、人の通行量が多い区画８０を登録対象の領域としてユーザが指定できるようになる。
【０２３９】  なお以上では、代替領域１４０を設定する構成を第１実施形態において実現する場合について主に説明したが、代替領域１４０を設定する構成は第２実施形態や第３実施形態においても実現することが可能である。
【０２４０】  ［２］例えば、候補領域設定部１１３は、電子クーポンの発行主（広告主）の店舗の所在地からの距離が基準距離以内である領域内において、候補領域を、第１位置情報に基づいて設定するようにしてもよい。
【０２４１】  例えば図８に示す例であれば、候補領域設定部１１３は、第１位置情報に基づいて設定される九個の区画８０のうちの、上記店舗の所在地からの距離が基準距離以内である区画８０のみを候補領域７６として設定するようにしてもよい。
【０２４２】  また例えば図２４に示す例であれば、候補領域設定部１１３は、ユーザが通過した複数の区画８０のうちの、上記店舗の所在地からの距離が基準距離以内である区画８０のみを候補領域７６として設定するようにしてもよい。
【０２４３】  また例えば図２６に示す例であれば、候補領域設定部１１３は、第１位置情報に基づいて設定される矩形領域１３０のうちの、上記店舗の所在地からの距離が基準距離以内である領域のみを候補領域７６として設定するようにしてもよい。
【０２４４】  ［３］例えば、対象領域設定部１１４は、ユーザの指定を受け付けることなく、候補領域７６内の一部領域を自動的に登録対象の領域として設定するようにしてもよい。
【０２４５】  ［４］例えば、電子クーポンを取得する場合のクーポン一覧画面９０には、ユーザの位置を含む区画８０に登録されている電子クーポンだけでなく、当該区画８０の付近の区画８０に登録されている電子クーポンも表示するようにしてもよい。
【０２４６】  この場合、電子クーポンの表示順位を、電子クーポンが登録されている区画８０とユーザの位置との間の距離に基づいて設定するようにしてもよい。例えば、ユーザの位置との距離が短い区画８０に登録された電子クーポンほど表示順位が高くなるようにして、表示順位を設定するようにしてもよい。すなわち、ユーザの位置との距離が短い区画８０に登録された電子クーポンの表示順位を、ユーザの位置との距離が長い区画８０に登録された電子クーポンの表示順位よりも高く設定するようにしてもよい。
【０２４７】  または、電子クーポンの表示順位を電子クーポンの評価値に基づいて設定するようにしてもよい。この場合、電子クーポンの評価値は、電子クーポンが登録されている区画８０とユーザの位置との間の距離と、電子クーポンの人気度と、に基づいて算出される。例えば、上記距離が短いほど評価値が高くなるようにして、評価値が算出される。また、人気度が高いほど評価値が高くなるようにして、評価値が算出される。なお、電子クーポンの人気度は、電子クーポンが実際に利用された回数や、電子クーポンを取得したユーザの人数の少なくとも一つに基づいて設定される。
【０２４８】  また、電子クーポンを取得する場合のクーポン一覧画面９０には、ユーザが指定したカテゴリに属する電子クーポンのみを表示するようにしてもよい。
【０２４９】  ［５］例えば、電子クーポンの登録をユーザから要求された場合、制御部１１は、ユーザの位置情報の履歴に基づいて、ユーザの移動速度が基準速度よりも大きいか否かを判定するようにしてもよい。例えば、制御部１１は、第１時点におけるユーザの位置と、第１時点よりも後の第２時点におけるユーザの位置と、に基づいてユーザの移動速度を推定するようにしてもよい。そして、ユーザの移動速度が基準速度よりも大きい場合、制御部１１は当該ユーザからの登録要求を拒否するようにしてもよい。
【０２５０】  ［６］例えば、区画８０が比較的大きい場合（例えば、１辺が５００ｍ〜３ｋｍ程度の場合）、候補領域設定部１１３は、その区画８０の周囲の八個の区画８０の全てを候補領域７６として提示しないようにしてもよい。
【０２５１】  例えば、候補領域設定部１１３は、候補領域７６に含める区画８０（すなわち、候補領域７６として提示する区画８０）として、ユーザの過去位置情報が示す位置（すなわち、ユーザの過去位置）を含む区画８０の周囲の八個の区画８０のうちの少なくとも一つを、ユーザの過去位置に基づいて選択するようにしてもよい。すなわち、候補領域設定部１１３は、候補領域７６に含める区画８０として、上記八個の区画８０のうちの少なくとも一つを、ユーザの過去位置が区画８０内のどこに位置しているかに基づいて選択するようにしてもよい。
【０２５２】  例えば、ユーザの過去位置が区画８０の中央付近に位置している場合、候補領域設定部１１３は、ユーザの過去位置を含む区画８０と、当該区画８０の周囲の八個の区画８０のうちの、ユーザの上記過去位置から最も近い区画８０と、の二つの区画８０を候補領域７６としてユーザに提示するようにしてもよい。
【０２５３】  また例えば、ユーザの過去位置が区画８０の角部付近に位置している場合、候補領域設定部１１３は、ユーザの過去位置を含む区画８０と、上記角部に隣接する三つの区画８０と、の四つの区画８０を候補領域７６としてユーザに提示するようにしてもよい。
【０２５４】  ［７］例えば、区画８０の大きさは一定でなくてもよい。例えば、地域における人の密度に基づいて地域に含まれる区画８０の大きさを変えるようにしてもよい。具体的には、都心部等のように人の密度が高い地域では区画８０の大きさを比較的小さく設定し、地方等のように人の密度が低い地域では区画８０の大きさを比較的大きく設定するようにしてもよい。
【０２５５】  例えば、人の密度が高い場合には、複数のユーザが一つの区画８０に対して同一の電子クーポンを登録しようとする確率が高くなる。この点、人の密度が高い地域では区画８０の大きさを比較的小さく設定すれば、複数のユーザが一つの区画８０に対して同一の電子クーポンを登録しようとする確率を低減することが可能になる。
【０２５６】  以上のようにして区画８０の大きさを変える場合には、ユーザ端末２０から広告サーバ１０へ位置情報を送信する間隔を区画８０の大きさに応じて制御するようにしてもよい。具体的には、区画８０の大きさが大きいほど位置情報の送信間隔を大きく設定し、区画８０の大きさが小さいほど位置情報の送信間隔を小さく設定するようにしてもよい。
【０２５７】  位置情報の送信間隔を区画８０の大きさに応じて制御する場合には、位置情報の送信間隔と区画８０の大きさとの対応関係を示す対応関係情報が必要となる。上述のように、この対応関係情報は、区画８０の大きさが大きいほど位置情報の送信間隔が大きく設定され、区画８０の大きさが小さいほど位置情報の送信間隔が小さく設定されるように設定される。
【０２５８】  例えば、上記の対応関係情報は記憶部１２又はデータベース１５に記憶され、広告サーバ１０の制御部１１は、上記の対応関係情報とユーザ端末２０の位置情報とに基づいて、ユーザ端末２０における上記送信間隔を決定する。この場合、広告サーバ１０の制御部１１は、決定された送信間隔をユーザ端末２０に通知する。ユーザ端末２０では、通知された送信間隔で、広告サーバ１０への位置情報の送信が実行される。
【０２５９】  または、ユーザ端末２０の制御部２１が、上記の対応関係情報とユーザ端末２０の位置情報とに基づいて、ユーザ端末２０における上記送信間隔を決定するようにしてもよい。なお、この場合、対応関係情報は記憶部２２に記憶されるようにしてもよいし、記憶部１２又はデータベース１５に記憶される対応関係情報が通信ネットワーク２を介してユーザ端末２０に供給されるようにしてもよい。
【０２６０】  区画８０の大きさが大きい場合には、ユーザが現在位置している区画８０が変化する頻度が低くなる。ユーザが現在位置している区画８０が変化する頻度が低い場合には、ユーザ端末２０の位置情報を広告サーバ１０に高い頻度で送信する必要性が低くくなる。この点、以上のようにすれば、不要な位置情報の送信を抑制することが可能になる。
【０２６１】  ［８］例えば、候補領域７６や登録対象の領域は矩形以外の形状の領域であってもよい。同様に、第１実施形態及び第２実施形態における区画８０の代わりに、矩形以外の形状の複数の領域を地図上に設定しておくようにしてもよい。ただし、これらの領域を矩形領域としておいた方が処理を簡易にすることができる。
【０２６２】  ［９］例えば、ユーザ端末２０がユーザ端末２０の動きを検出するためのセンサ（例えば加速度センサ又はジャイロセンサ）を備える場合、ユーザ端末２０を振る操作を、電子クーポンを登録又は取得するための操作として採用するようにしてもよい。例えば、区画指定画面７０ではユーザがいずれかの区画８０を指定した状態でユーザ端末２０を振った場合に、電子クーポンと区画８０との関連付けが実行されるようにしてもよい。同様に、クーポン画面１００では、ユーザ端末２０を振った場合に電子クーポンがユーザに提供されるようにしてもよい。このようにすれば、ユーザが街中でユーザ端末２０を振るようになり、他人を注目を集めることが期待できる。その結果、広告サーバ１０によって提供されるサービスへの関心が高まることが期待できる。
【０２６３】  ［１０］例えば、店舗端末３０では、広告主が提供している電子クーポンの登録状況を確認するための画面を表示するようにしてもよい。この画面は、店舗端末３０から広告サーバ１０にアクセスすることによって表示されるようにすればよい。
【０２６４】  ［１１］例えば、広告システム１は複数の広告サーバ１０を含むようにしてもよい。この場合、複数の広告サーバ１０は処理（機能）を分担するようにしてもよい。例えば、一方の広告サーバ１０は電子クーポンの登録に関する処理を実行し、他方の広告サーバ１０は電子クーポンの提供に関する処理を実行するようにしてもよい。すなわち、第１位置情報取得部１１２、候補領域設定部１１３、対象領域設定部１１４、及び関連付け情報登録部１１５は一方の広告サーバ１０によって実現され、第２位置情報取得部１１６及び電子広告提供部１１７は他方の広告サーバ１０で実現されるようにしてもよい。
【０２６５】  ［１２］例えば、図１２に示す機能ブロックの全部又は一部をユーザ端末２０で実現するようにしてもよい。例えば、記憶部１１０以外の機能ブロックをユーザ端末２０で実現するようにしてもよい。すなわち、記憶部１１０以外の機能ブロックを含むユーザ端末２０（広告処理装置）を実現するようにしてもよい。または、第１位置情報取得部１１２、候補領域設定部１１３、対象領域設定部１１４、及び関連付け情報登録部１１５を含むユーザ端末２０（広告処理装置）を実現するようにしてもよい。あるいは、第２位置情報取得部１１６及び電子広告提供部１１７を含むユーザ端末２０（広告処理装置）を実現するようにしてもよい。
【０２６６】  ［１３］以上では、電子クーポンを提供する場合について主に説明したが、本発明は電子クーポン以外の電子広告を提供する場合にも適用することが可能である。例えば、電子チラシを提供する場合にも本発明は適用することが可能である。また、電子広告として画像データ（電子クーポン又は電子チラシ以外の画像データ）を提供する場合にも本発明は適用することが可能である。さらに、電子広告として音声データ又は動画データを提供する場合にも本発明は適用することが可能である。
【符号の説明】
【０２６７】  １  広告システム、２  通信ネットワーク、１０  広告サーバ、１１，２１  制御部、１２，２２  記憶部、１３，２３  通信部、１４  光ディスクドライブ部、１５  データベース、２０  ユーザ端末、２４  ＧＰＳ受信部、２５  操作部、２６  表示部、２７  音声出力部、３０  店舗端末、４０  メニュー画面、４２Ａ，４２Ｂ，４２Ｃ  メニューボタン、４４  ゲームポイント欄、４６  ショッピングポイント欄、５０，９０  クーポン一覧画面、５２，９２  クーポンボタン、５４，６８，７８，９４，１０８  戻るボタン、６０，１００  クーポン画面、６２，１０２  クーポン、６４，１０４  コード画像、６６  登録ボタン、７０  区画指定画面、７２  地図、７４  ユーザの位置、７６  候補領域、８０  区画、１０６  取得ボタン、１１０  記憶部、１１１  関連付け情報記憶部、１１２  第１位置情報取得部、１１３  候補領域設定部、１１４  対象領域設定部、１１５  関連付け情報登録部、１１６  第２位置情報取得部、１１７  電子広告提供部、１３０，１３４  矩形領域、１３２  ユーザの指示位置、１３６  除外領域、１４０  代替領域、Ｕ１，Ｕ２  ユーザ、Ｃ  電子クーポン、Ａ  領域。
【図１】
0005959744.tif 000002
【図２】
0005959744.tif 000003
【図３】
0005959744.tif 000004
【図４】
0005959744.tif 000005
【図５】
0005959744.tif 000006
【図６】
0005959744.tif 000007
【図７】
0005959744.tif 000008
【図８】
0005959744.tif 000009
【図９】
0005959744.tif 000010
【図１０】
0005959744.tif 000011
【図１１】
0005959744.tif 000012
【図１２】
0005959744.tif 000013
【図１３】
0005959744.tif 000014
【図１４】
0005959744.tif 000015
【図１５】
0005959744.tif 000016
【図１６】
0005959744.tif 000017
【図１７】
0005959744.tif 000018
【図１８】
0005959744.tif 000019
【図１９】
0005959744.tif 000020
【図２０】
0005959744.tif 000021
【図２１】
0005959744.tif 000022
【図２２】
0005959744.tif 000023
【図２３】
0005959744.tif 000024
【図２４】
0005959744.tif 000025
【図２５】
0005959744.tif 000026
【図２６】
0005959744.tif 000027
【図２７】
0005959744.tif 000028